(57)【要約】  心臓情報の取得および解析に役立つ位置特定システムおよび方法が提供される。この位置特定システムおよび方法は、例として、心臓のマッピング、心臓の異常の診断、治療、および検索における、処理、およびそのようなタイプの情報の解明を行うシステムと共に使用することができる。位置特定システムおよび方法は、多軸座標系を確立するために使用される電極対に対して高インピーダンスの入力、改善された切り離し、および比較的高い駆動電流を使用する。軸を回転および拡大縮小することによって位置特定を改善することができる。
2018516114.tif 000002
【特許請求の範囲】
【請求項１】
周辺組織によって定められた体の腔へ１つ以上の生体電位電極を送り届けるように構成された少なくとも１つのカテーテルと、
前記体に対して向きが固定されるように構成された複数の位置特定電極を備えた患者インターフェースのモジュールと、
前記組織についての操作可能な座標系を確立するように前記位置特定電極からの位置特定信号を処理するとともに、前記座標系内で前記生体電位電極の方位を測定するように生体電位信号を処理するように構成された心臓情報の操作卓と
を備えることを特徴とする位置特定システム。
【請求項２】
請求項１または他のいずれか１項に記載のシステムであって、前記腔は心腔であり、前記周辺組織は前記心腔の１つ以上の壁であることを特徴とするシステム。
【請求項３】
請求項１または他のいずれか１項に記載のシステムであって、前記１つ以上の生体電位電極は、前記少なくとも１つのカテーテルの遠位端に結合された複数の生体電位電極であることを特徴とするシステム。
【請求項４】
請求項３または他のいずれか１項に記載のシステムであって、前記生体電位電極は、３Ｄアレイに配設（配置）されていることを特徴とするシステム。
【請求項５】
請求項４または他のいずれか１項に記載のシステムであって、前記３Ｄアレイは、複数のスプラインを含むことを特徴とするシステム。
【請求項６】
請求項４または他のいずれか１項に記載のシステムであって、前記３Ｄアレイは、バスケットアレイ、螺旋アレイ、バルーン、径方向に展開可能なアーム、ならびに／または他の拡張可能および圧縮可能な構造であることを特徴とするシステム。
【請求項７】
請求項１または他のいずれか１項に記載のシステムであって、前記患者インターフェースのモジュールは、患者絶縁駆動システム、一組のパッチ電極、および１つ以上の基準電極を備えることを特徴とするシステム。
【請求項８】
請求項７または他のいずれか１項に記載のシステムであって、前記位置特定電極は、一対以上の位置特定電極を含むことを特徴とするシステム。
【請求項９】
請求項８または他のいずれか１項に記載のシステムであって、前記位置特定電極は、二対の位置特定電極を含むことを特徴とするシステム。
【請求項１０】
請求項８または他のいずれか１項に記載のシステムであって、位置特定電極の各対は、前記座標系の軸を定めることを特徴とするシステム。
【請求項１１】
請求項８または他のいずれか１項に記載のシステムであって、前記位置特定電極は三対の位置特定電極を含み、位置特定電極の各対は前記座標系の軸の１つを定めることを特徴とするシステム。
【請求項１２】
請求項１１または他のいずれか１項に記載のシステムであって、
第１の対の位置特定電極は、肋骨の両側に配置された２つのパッチ電極を有し、
第２の対の位置特定電極は、腰部に配置された１つのパッチ電極と、上胸部に配置された１つのパッチ電極とを有し、
第３の対の位置特定電極は、上背に配置された１つのパッチ電極と、下腹部に配置された１つのパッチ電極とを有することを特徴とするシステム。
【請求項１３】
請求項１１または他のいずれか１項に記載のシステムであって、前記軸は、前記体の自然軸に非直交であることを特徴とするシステム。
【請求項１４】
請求項１３または他のいずれか１項に記載のシステムであって、前記複数対の位置特定電極は、前記軸が原点で交差するとともに前記原点が心臓内に位置するように配置されることを特徴とするシステム。
【請求項１５】
請求項１３または他のいずれか１項に記載のシステムであって、前記３つの交差する軸の原点は、心房の体積の中心にあることを特徴とするシステム。
【請求項１６】
請求項７または他のいずれか１項に記載のシステムであって、前記絶縁駆動システムは、電流の漏洩を防ぐために前記心臓情報の操作卓からの前記位置特定信号を切り離すように構成されていることを特徴とするシステム。
【請求項１７】
請求項７または他のいずれか１項に記載のシステムであって、前記絶縁駆動システムは、前記位置特定電極の対によって生成された全ての軸の同時出力を維持するように構成されていることを特徴とするシステム。
【請求項１８】
請求項８または他のいずれか１項に記載のシステムであって、位置特定電極の各対は、異なる位置特定信号によって駆動されることを特徴とするシステム。
【請求項１９】
請求項１８または他のいずれか１項に記載のシステムであって、各位置特定信号は、異なる周波数を有することを特徴とするシステム。
【請求項２０】
請求項１９または他のいずれか１項に記載のシステムであって、
前記第１の対の電極について生成される前記信号は、約３９ｋＨｚの周波数を有し、
前記第２の対の電極について生成される前記信号は、約４８ｋＨｚの周波数を有し、
前記第３の対の電極について生成される前記信号は、約５２ｋＨｚの周波数を有することを特徴とするシステム。
【請求項２１】
請求項２０または他のいずれか１項に記載のシステムであって、前記心臓情報の操作卓は、生体電位の前記３Ｄアレイの電子表示を調整および補正するように前記座標系を回転させるようにさらに構成されていることを特徴とするシステム。
【請求項２２】
請求項２１または他のいずれか１項に記載のシステムであって、前記心臓情報の操作卓は、生体電位の前記３Ｄアレイの電子表示を調整および補正するように前記座標系を拡大縮小するようにさらに構成されていることを特徴とするシステム。
【請求項２３】
請求項２１または他のいずれか１項に記載のシステムであって、前記心臓情報の操作卓は、生体電位の前記３Ｄアレイの電子表示を生体電位の前記３Ｄアレイの知られているまたは決定された幾何学的形状に適合させるようにさらに構成されていることを特徴とするシステム。
【請求項２４】
請求項１または他のいずれか１項に記載のシステムであって、
生体電位電極の前記３Ｄアレイおよび前記座標系を表示するように構成されたユーザインターフェースシステムをさらに備えることを特徴とするシステム。
【請求項２５】
請求項２４または他のいずれか１項に記載のシステムであって、前記ユーザインターフェースシステムは、ユーザが生体電位の前記３Ｄアレイの画像をグラフィック的に調整および補正するように前記座標系を回転および／または拡大縮小することを可能にする機構を含むことを特徴とするシステム。
【請求項２６】
請求項１または他のいずれか１項に記載のシステムであって、前記心臓情報の操作卓は、電極ごとに、
高インピーダンスの入力を有するとともに前記生体電位電極から生体電位信号を受信するように構成されている生体電位信号の経路、および／または
高インピーダンスの入力を有するとともに前記位置特定電極から位置特定信号を受信するように構成されている位置特定信号の経路をさらに備えることを特徴とするシステム。
【請求項２７】
請求項２６または他のいずれか１項に記載のシステムであって、前記心臓情報の操作卓は、電極ごとに、
前記生体電位信号の経路と前記位置特定信号の経路の間に結合されたＤＦＩＢ保護回路をさらに備えることを特徴とするシステム。
【請求項２８】
請求項１または他のいずれか１項に記載のシステムであって、前記心臓情報の操作卓は、電極ごとに、
前記生体電位信号の経路および前記位置特定信号の経路の各出力に結合されたＡＤＣをさらに備えることを特徴とするシステム。
【請求項２９】
請求項２８または他のいずれか１項に記載のシステムであって、前記心臓情報の操作卓は、
処理された生体電位データから心臓活性化のマッピングをもたらすように構成された生体電位信号プロセッサと、
前記生体電位電極の位置を特定するように構成された位置特定信号プロセッサと
をＡＤＣ出力に結合された状態でさらに備えることを特徴とするシステム。
【請求項３０】
請求項２８または他のいずれか１項に記載のシステムであって、
電極ごとに、前記ＡＤＣの前記出力に結合されているとともに受信したデータ信号の前記大きさおよび位相を分離するように構成されているＩＱ復調器と、
前記ＩＱ復調器に結合された狭帯域のＩＩＲフィルタと、
前記ＩＩＲフィルタに結合されるとともに、時間ベースでデータの部分を選択的にフィルタ除去するように構成された時間フィルタと
をさらに備えることを特徴とするシステム。
【請求項３１】
請求項３０または他のいずれか１項に記載のシステムであって、ＩＱ復調器ごとに、Ｉ部分およびＱ部分を備えた１つのＩＩＲフィルタが存在することを特徴とするシステム。
【請求項３２】
請求項３０または他のいずれか１項に記載のシステムであって、複数のＩＱ復調器に対して１つのマルチチャンネルのＩＩＲフィルタが存在することを特徴とするシステム。
【請求項３３】
請求項１または他のいずれか１項に記載のシステムであって、１つ以上の補助カテーテルをさらに備えることを特徴とするシステム。
【請求項３４】
請求項３３または他のいずれか１項に記載のシステムであって、前記１つ以上の補助カテーテルは、アブレーションカテーテルまたは基準カテーテルのうちの少なくとも１つを備えることを特徴とするシステム。
【請求項３５】
請求項１または他のいずれか１項に記載のシステムであって、前記少なくとも１つのカテーテルは、画像データを収集して前記組織の１つ以上の画像を生成するように構成されている超音波電極をさらに備えることを特徴とするシステム。
【請求項３６】
請求項３５または他のいずれか１項に記載のシステムであって、前記心臓情報の操作卓は、
高インピーダンスの入力を有するとともに前記超音波電極から超音波信号を受信するように構成された超音波信号の経路をさらに備えることを特徴とするシステム。
【請求項３７】
請求項１または他のいずれか１項に記載のシステムであって、
少なくとも１つの感知された状態の存在、不存在、および／または変化を示す１つ以上の信号を生成するように構成された１つ以上のセンサを備えることを特徴とするシステム。
【請求項３８】
請求項３７または他のいずれか１項に記載のシステムであって、前記１つ以上のセンサは、少なくとも１つのカテーテルセンサを含むことを特徴とするシステム。
【請求項３９】
請求項３８または他のいずれか１項に記載のシステムであって、前記少なくとも１つのカテーテルセンサは、
前記少なくとも１つのカテーテルのカテーテルハンドル、および／または
前記少なくとも１つのカテーテルの遠位端に結合されたカテーテルアレイ
に取り付けられたまたは一体になったセンサを含むことを特徴とするシステム。
【請求項４０】
請求項３８、３９、または他のいずれか１項に記載のシステムであって、前記少なくとも１つのカテーテルセンサは、
血圧センサ、
血液ガスセンサ、
温度センサ、
血糖センサ、
ｐＨセンサ、
呼吸センサ、
平均凝固時間（ＡＣＴ）センサ、および
これらの１つ以上の組み合わせからなる群から選択される患者の生理学的センサを含むことを特徴とするシステム。
【請求項４１】
請求項３７または他のいずれか１項に記載のシステムであって、前記１つ以上のセンサは、少なくとも１つの心臓情報の操作卓のセンサを備えることを特徴とするシステム。
【請求項４２】
請求項３７または他のいずれか１項に記載のシステムであって、前記１つ以上のセンサは、少なくとも１つの患者インターフェースシステムのセンサを備えることを特徴とするシステム。
【請求項４３】
請求項３７または他のいずれか１項に記載のシステムであって、前記１つ以上のセンサは、
カテーテルセンサと、
心臓情報の操作卓のセンサと、
患者インターフェースシステムのセンサと、
これら１つ以上の組み合わせと
からなる群から選択される少なくとも２つのセンサを含む複数のセンサを備えることを特徴とするシステム。
【請求項４４】
請求項３７、４３、または他のいずれか１項に記載のシステムであって、前記１つ以上のセンサは、
力センサ、
圧力センサ、
歪みゲージ、
光学的センサ、
撮像センサ、
音響センサ、
ホール効果センサ、
ｐＨセンサ、
磁気センサ、
温度センサ、および
これらの１つ以上の組み合わせからなる群から選択される少なくとも１つのセンサを備えることを特徴とするシステム。
【請求項４５】
請求項４４または他のいずれか１項に記載のシステムであって、前記撮像センサは、レンズおよび／または光ファイバを含むことを特徴とするシステム。
【請求項４６】
請求項４４または他のいずれか１項に記載のシステムであって、前記音響センサは超音波センサを含むことを特徴とするシステム。
【請求項４７】
請求項３７、４３、または他のいずれか１項に記載のシステムであって、センサのうちの前記１つ以上は、
加熱要素、
冷却要素、
振動要素、
薬品または他の薬物を送り届ける要素、
磁場を発生する要素、
光を送り届ける要素、
撮像要素、および
これらの１つ以上の組み合わせからなる群から選択される少なくとも１つの変換器を備えることを特徴とするシステム。
【請求項４８】
請求項４４または他のいずれか１項に記載のシステムであって、前記撮像要素は、レンズおよび／または光ファイバを備えることを特徴とするシステム。
【請求項４９】
請求項３７、４３、４４、または他のいずれか１項に記載のシステムであって、前記システムは、前記１つ以上のセンサによって生成された前記１つ以上の信号を解析するように構成されていることを特徴とするシステム。
【請求項５０】
請求項３７、４３、４４、または他のいずれか１項に記載のシステムであって、前記システムは、前記システムによって感知および／または計算された電圧データ、双極子密度データ、表面電荷データ、および／または解剖学的データを組み合わせて、センサのうちの前記１つ以上によって生成された１つ以上の信号の解析を実行するように構成されていることを特徴とするシステム。
【請求項５１】
請求項３７、４３、４４、または他のいずれか１項に記載のシステムであって、前記１つ以上のセンサからの前記１つ以上の信号は、
システムによって表示された解剖学的画像の改善、
システムによって表示される心臓の情報（例えば、双極子密度および／または表面電荷の情報）の改善、
システムの不具合の検出、
患者の生理学的データの用意、および
これらの１つ以上の組み合わせからなる群から選択される機能を実行するためにシステムによって使用されることを特徴とするシステム。
【請求項５２】
請求項５１または他のいずれか１項に記載のシステムであって、前記システムによって表示される心臓の情報は、双極子密度の情報および／または表面電荷の情報のうちの少なくとも１つを含むことを特徴とするシステム。
【請求項５３】
少なくとも１つのカテーテルを用いて周辺組織によって定められた体の腔へ１つ以上の生体電位電極を送り届けるステップと、
前記１つ以上の生体電位電極から生体電位信号を受信するステップと、
前記体に対して固定された向きを有する位置特定電極を用いて前記組織についての操作可能な座標系を確立するステップと、
前記座標系内で前記生体電位電極の方位を測定するおよび／または方位を再測定するように前記生体電位信号を処理するステップと
を含むことを特徴とする位置特定方法。
【請求項５４】
請求項５３または他のいずれか１項に記載の方法であって、前記腔は心腔であり、前記周辺組織は前記心腔の１つ以上の壁であることを特徴とする方法。
【請求項５５】
請求項５３または他のいずれか１項に記載の方法であって、前記１つ以上の生体電位電極は、前記少なくとも１つのカテーテルの遠位端に結合された複数の生体電位電極であることを特徴とする方法。
【請求項５６】
請求項５５または他のいずれか１項に記載の方法であって、前記生体電位電極は、３Ｄアレイに配設（配置）されていることを特徴とする方法。
【請求項５７】
請求項５６または他のいずれか１項に記載の方法であって、前記３Ｄアレイは、複数のスプラインを含むことを特徴とする方法。
【請求項５８】
請求項５６または他のいずれか１項に記載の方法であって、前記３Ｄアレイは、バスケットアレイ、螺旋アレイ、バルーン、径方向に展開可能なアーム、および／または他の拡張可能および圧縮可能な構造であることを特徴とする方法。
【請求項５９】
請求項５３または他のいずれか１項に記載の方法であって、前記位置特定電極は、一組のパッチ電極と、１つ以上の基準電極とを含むことを特徴とする方法。
【請求項６０】
請求項５９または他のいずれか１項に記載の方法であって、前記位置特定電極は、一対以上の位置特定電極を含むことを特徴とする方法。
【請求項６１】
請求項６０または他のいずれか１項に記載の方法であって、前記位置特定電極は、二対の位置特定電極を含むことを特徴とする方法。
【請求項６２】
請求項６０または他のいずれか１項に記載の方法であって、位置特定電極の各対は、前記座標系の軸を定めることを特徴とする方法。
【請求項６３】
請求項６０または他のいずれか１項に記載の方法であって、前記位置特定電極は三対の位置特定電極を含み、位置特定電極の各対は前記座標系の軸の１つを定めることを特徴とする方法。
【請求項６４】
請求項６３または他のいずれか１項に記載の方法であって、
第１の対の位置特定電極は、肋骨の両側に配置された２つのパッチ電極を有し、
第２の対の位置特定電極は、腰部に配置された１つのパッチ電極と、上胸部に配置された１つのパッチ電極とを有し、
第３の対の位置特定電極は、上背に配置された１つのパッチ電極と、下腹部に配置された１つのパッチ電極とを有することを特徴とする方法。
【請求項６５】
請求項６３または他のいずれか１項に記載の方法であって、前記軸は、前記体の自然軸に非直交であることを特徴とする方法。
【請求項６６】
請求項６３または他のいずれか１項に記載の方法であって、前記複数対の位置特定電極は、前記軸が原点で交差するとともに前記原点が心臓内に位置するように配置されることを特徴とする方法。
【請求項６７】
請求項６６または他のいずれか１項に記載の方法であって、前記３つの交差する軸の前記原点は、心房の体積の中心にあることを特徴とする方法。
【請求項６８】
請求項６３または他のいずれか１項に記載の方法であって、
前記位置特定電極の対によって生成された全ての軸の同時出力を維持するステップをさらに含むことを特徴とする方法。
【請求項６９】
請求項６３または他のいずれか１項に記載の方法であって、
異なる位置特定信号を用いて位置特定電極の各対を駆動するステップをさらに含むことを特徴とする方法。
【請求項７０】
請求項６９または他のいずれか１項に記載の方法であって、各位置特定信号は、異なる周波数を有することを特徴とする方法。
【請求項７１】
請求項７０または他のいずれか１項に記載の方法であって、
約３９ｋＨｚの周波数で前記第１の対の電極について前記信号を生成するステップと、
約４８ｋＨｚの周波数で前記第２の対の電極について前記信号を生成するステップと、
約５２ｋＨｚの周波数で前記第３の対の電極について前記信号を生成するステップと
をさらに含むことを特徴とする方法。
【請求項７２】
請求項５３または他のいずれか１項に記載の方法であって、前記１つ以上の生体電位電極から生体電位信号を受信するステップは、
少なくとも１つのプロセッサを用いて、前記１つ以上の生体電位電極によって感知されおよび／または記録された生体電位の３Ｄアレイの電子表示を調整および補正するように前記座標系を回転させるステップを含むことを特徴とする方法。
【請求項７３】
請求項７２または他のいずれか１項に記載の方法であって、
少なくとも１つのプロセッサを用いて、生体電位の前記３Ｄアレイの電子表示を調整および補正するように前記座標系を拡大縮小するステップをさらに含むことを特徴とする方法。
【請求項７４】
請求項７２、７３、または他のいずれか１項に記載の方法であって、
生体電位の前記３Ｄアレイの電子表示を生体電位の前記３Ｄアレイの知られているまたは決定された幾何学的形状に適合させるステップをさらに含むことを特徴とする方法。
【請求項７５】
請求項５３または他のいずれか１項に記載の方法であって、
ユーザインターフェースシステムの少なくとも１つの表示装置に生体電位電極の前記３Ｄアレイおよび前記座標系を表示するステップをさらに含むことを特徴とする方法。
【請求項７６】
請求項７５または他のいずれか１項に記載の方法であって、
前記ユーザインターフェースシステムとのユーザインタラクションに応答して生体電位の前記３Ｄアレイの画像をグラフィック的に調整および補正するように前記座標系を回転および／または拡大縮小するステップをさらに含むことを特徴とする方法。
【請求項７７】
請求項５３または他のいずれか１項に記載の方法であって、前記生体電位信号を処理するステップは、
前記受信している生体電位信号に基づいてＩおよびＱのデータを受信するステップと、
前記ＩＱデータを電圧データへ変換するステップと、
前記電極アレイの知られているおよび／または測定された形状に基づいて軸補正因子を前記電圧データに適用するステップと、
前記電極アレイの知られているおよび／または測定された形状に基づいて、拡大縮小行列を決定し、前記感知された電圧データに前記拡大縮小行列を適用するステップと、
前記電圧データの前記軸補正および拡大縮小に基づいて、補正された電圧値を有する各電極の位置の値を計算するステップと、
各電極の前記計算された位置の値を知られているバスケット構成に適合させるステップとを含むことを特徴とする方法。
【請求項７８】
請求項７７または他のいずれか１項に記載の方法であって、
前記計算された電極位置へ適用、適合、および回転させるステップと、
前記電極位置を更新するステップとをさらに含むことを特徴とする方法。
【請求項７９】
請求項７７、７８、または他のいずれか１項に記載の方法であって、
次の組の生体電位データが存在する場合、前記次の組の生体電位データについて前記方法を繰り返すステップを含むことを特徴とする方法。
【請求項８０】
請求項７７または他のいずれか１項に記載の方法であって、前記位置特定電極は複数対の位置特定電極を含み、位置特定電極の対ごとに１つの軸が存在し、
前記電極アレイが所定の形状をとるまで、前記軸のうちの１つ以上を回転させ、拡大縮小し、および／またはスキュー修正するステップを含むことを特徴とする方法。
【請求項８１】
請求項８０または他のいずれか１項に記載の方法であって、前記電極アレイは、３Ｄバスケットアレイであることを特徴とする方法。
【請求項８２】
請求項８０、８１、または他のいずれか１項に記載の方法であって、ユーザインターフェースサブシステムの表示装置に前記電極アレイを表示するステップを含むことを特徴とする方法。
【請求項８３】
請求項７７または他のいずれか１項に記載の方法であって、前記拡大縮小行列を適用するステップは、
前記電極アレイの長さまたはサイズが正しくない場合、前記電極アレイの知られているまたは決定された比率に基づいて、前記電極アレイの前記知られているまたは決定された比率が実現されるまで前記電極アレイの前記軸のうちの１つ以上をより長くまたはより短く拡大縮小させるステップを含むことを特徴とする方法。
【請求項８４】
請求項５３または他のいずれか１項に記載の方法であって、電極ごとに、
高インピーダンスの入力を有する生体電位信号の経路を介して前記生体電位電極から生体電位信号を受信するステップ、および／または
高インピーダンスの入力を有する位置特定信号の経路を介して前記位置特定電極から位置特定信号を受信するステップをさらに含むことを特徴とする方法。
【請求項８５】
請求項８４または他のいずれか１項に記載の方法であって、電極ごとに、
前記生体電位信号の経路と前記位置特定信号の経路との間にＤＦＩＢ保護回路を結合するステップをさらに含むことを特徴とする方法。
【請求項８６】
請求項８４、８５、または他のいずれか１項に記載の方法であって、電極ごとに、
前記生体電位信号の経路および前記位置特定信号の経路の各出力をＡＤＣに結合するステップをさらに含むことを特徴とする方法。
【請求項８７】
請求項８６または他のいずれか１項に記載の方法であって、
生体電位信号プロセッサおよび位置特定信号プロセッサをＡＤＣ出力に結合するステップと、
前記生体電位信号プロセッサを用いて処理された生体電位データから心臓活性化のマッピングを行うステップと、
前記位置特定信号プロセッサを用いて前記生体電位電極の位置を特定するステップと
をさらに含むことを特徴とする方法。
【請求項８８】
請求項８６または他のいずれか１項に記載の方法であって、
電極ごとに、ＩＱ復調器を前記ＡＤＣの前記出力に結合するとともに、受信した生体電位信号の大きさおよび位相を分離するステップと、
狭帯域のＩＩＲフィルタを前記ＩＱ復調器に結合するステップと、
時間フィルタを前記ＩＩＲフィルタに結合するとともに、時間ベースでデータの部分を選択的にフィルタ除去するステップとをさらに含むことを特徴とする方法。
【請求項８９】
請求項８８または他のいずれか１項に記載の方法であって、ＩＱ復調器ごとに、Ｉ部分およびＱ部分を備えた１つのＩＩＲフィルタが存在することを特徴とする方法。
【請求項９０】
請求項８８または他のいずれか１項に記載の方法であって、複数のＩＱ復調器に対して１つのマルチチャンネルのＩＩＲフィルタが存在することを特徴とする方法。
【請求項９１】
請求項５３または他のいずれか１項に記載の方法であって、
前記体の腔へ１つ以上の補助カテーテルを送り届けるステップをさらに含むことを特徴とする方法。
【請求項９２】
請求項９１または他のいずれか１項に記載の方法であって、前記１つ以上の補助カテーテルは、アブレーションカテーテルまたは基準カテーテルのうちの少なくとも１つを備えることを特徴とする方法。
【請求項９３】
請求項５３または他のいずれか１項に記載の方法であって、前記少なくとも１つのカテーテルは、超音波電極をさらに備え、
前記組織の画像を生成するために前記超音波電極から画像データを収集するステップを含むことを特徴とする方法。
【請求項９４】
請求項９３または他のいずれか１項に記載の方法であって、
高インピーダンスの入力を有する超音波信号の経路を介して前記超音波電極から超音波信号を受信するステップをさらに含むことを特徴とする方法。
【請求項９５】
図示および／または説明されたような位置特定方法。
【請求項９６】
図示および／または説明されたような位置特定システム。
【請求項９７】
図示および／または説明されたような心臓情報の処理システム。
【発明の詳細な説明】
【技術分野】
【０００１】
本発明は、一般に、心臓の不整脈または他の異常の診断および治療に役立ち得るシステムおよび方法に関連し、詳細には、本発明は、そのような不整脈または他の異常の位置特定を実行するのに役立つシステム、装置、および方法に関連している。
【背景技術】
【０００２】
関連出願
本出願は、米国特許法第１１９条（ｅ）の定めにより、２０１５年５月１３日に出願した「Ｌｏｃａｌｉｚａｔｉｏｎ  Ｓｙｓｔｅｍ  ａｎｄ  Ｍｅｔｈｏｄ  Ｕｓｅｆｕｌ  ｉｎ  ｔｈｅ  Ａｃｑｕｉｓｉｔｉｏｎ  ａｎｄ  Ａｎａｌｙｓｉｓ  ｏｆ  Ｃａｒｄｉａｃ  Ｉｎｆｏｒｍａｔｉｏｎ」という名称の米国仮特許出願第６２／１６１，２１３号の優先権を主張するものであり、その全体を本願に引用して援用する。
【０００３】
本出願は、２０１５年９月２５日に出願した「Ｍｅｔｈｏｄ  ａｎｄ  Ｄｅｖｉｃｅ  ｆｏｒ  Ｄｅｔｅｒｍｉｎｉｎｇ  ａｎｄ  Ｐｒｅｓｅｎｔｉｎｇ  Ｓｕｒｆａｃｅ  Ｃｈａｒｇｅ  ａｎｄ  Ｄｉｐｏｌｅ  Ｄｅｎｓｉｔｉｅｓ  ｏｎ  Ｃａｒｄｉａｃ  Ｗａｌｌｓ」という名称の米国特許出願第１４／８６５，４３５号の優先権を主張するものではないが、これに関連し得るものであり、これは２０１５年１０月２７日に発行された「Ｍｅｔｈｏｄ  ａｎｄ  Ｄｅｖｉｃｅ  ｆｏｒ  Ｄｅｔｅｒｍｉｎｉｎｇ  ａｎｄ  Ｐｒｅｓｅｎｔｉｎｇ  Ｓｕｒｆａｃｅ  Ｃｈａｒｇｅ  ａｎｄ  Ｄｉｐｏｌｅ  Ｄｅｎｓｉｔｉｅｓ  ｏｎ  Ｃａｒｄｉａｃ  Ｗａｌｌｓ」という名称の米国特許第９，１６７，９８２号（以下、’９８２特許）の継続であり、これは２０１４年１２月２３日に発行された「Ｍｅｔｈｏｄ  ａｎｄ  Ｄｅｖｉｃｅ  ｆｏｒ  Ｄｅｔｅｒｍｉｎｉｎｇ  ａｎｄ  Ｐｒｅｓｅｎｔｉｎｇ  Ｓｕｒｆａｃｅ  Ｃｈａｒｇｅ  ａｎｄ  Ｄｉｐｏｌｅ  Ｄｅｎｓｉｔｉｅｓ  ｏｎ  Ｃａｒｄｉａｃ  Ｗａｌｌｓ」という名称の米国特許第８，９１８，１５８号（以下、’１５８特許）の継続であり、これは２０１４年４月１５日に発行された「Ｍｅｔｈｏｄ  ａｎｄ  Ｄｅｖｉｃｅ  ｆｏｒ  Ｄｅｔｅｒｍｉｎｉｎｇ  ａｎｄ  Ｐｒｅｓｅｎｔｉｎｇ  Ｓｕｒｆａｃｅ  Ｃｈａｒｇｅ  ａｎｄ  Ｄｉｐｏｌｅ  Ｄｅｎｓｉｔｉｅｓ  ｏｎ  Ｃａｒｄｉａｃ  Ｗａｌｌｓ」という名称の米国特許第８，７００，１１９号（以下、’１１９特許）の継続であり、これは２０１３年４月９日に発行した「Ｍｅｔｈｏｄ  ａｎｄ  Ｄｅｖｉｃｅ  ｆｏｒ  Ｄｅｔｅｒｍｉｎｉｎｇ  ａｎｄ  Ｐｒｅｓｅｎｔｉｎｇ  Ｓｕｒｆａｃｅ  Ｃｈａｒｇｅ  ａｎｄ  Ｄｉｐｏｌｅ  Ｄｅｎｓｉｔｉｅｓ  ｏｎ  Ｃａｒｄｉａｃ  Ｗａｌｌｓ」という名称の米国特許第８，４１７，３１３号（以下、’３１３特許）の継続であり、これは国際公開第２００８／０１４６２９号として公表された２００７年８月３日に出願した「Ｍｅｔｈｏｄ  ａｎｄ  Ｄｅｖｉｃｅ  ｆｏｒ  Ｄｅｔｅｒｍｉｎｉｎｇ  ａｎｄ  Ｐｒｅｓｅｎｔｉｎｇ  Ｓｕｒｆａｃｅ  Ｃｈａｒｇｅ  ａｎｄ  Ｄｉｐｏｌｅ  Ｄｅｎｓｉｔｉｅｓ  ｏｎ  Ｃａｒｄｉａｃ  Ｗａｌｌｓ」という名称の特許協力条約出願ＣＨ２００７／０００３８０の米国特許法３７１条の国内移行手続であり、これは２００６年８月３日に出願したスイス特許出願第１２５１／０６号の優先権を主張するものであり、これらの各々は本願に引用して援用する。
【０００４】
本出願は、２０１５年１０月１９日に出願した「Ｄｅｖｉｃｅ  ａｎｄ  Ｍｅｔｈｏｄ  Ｆｏｒ  ｔｈｅ  Ｇｅｏｍｅｔｒｉｃ  Ｄｅｔｅｒｍｉｎａｔｉｏｎ  ｏｆ  Ｅｌｅｃｔｒｉｃａｌ  Ｄｉｐｏｌｅ  Ｄｅｎｓｉｔｉｅｓ  ｏｎ  ｔｈｅ  Ｃａｒｄｉａｃ  Ｗａｌｌ」という名称の米国特許出願第１４／８８６，４４９号の優先権を主張するものではないが、これに関連し得るものであり、これは２０１５年１１月２４日に発行した「Ｄｅｖｉｃｅ  ａｎｄ  Ｍｅｔｈｏｄ  Ｆｏｒ  ｔｈｅ  Ｇｅｏｍｅｔｒｉｃ  Ｄｅｔｅｒｍｉｎａｔｉｏｎ  ｏｆ  Ｅｌｅｃｔｒｉｃａｌ  Ｄｉｐｏｌｅ  Ｄｅｎｓｉｔｉｅｓ  ｏｎ  ｔｈｅ  Ｃａｒｄｉａｃ  Ｗａｌｌ」という名称の米国特許第９，１９２，３１８号（以下、’３１８特許）の継続であり、これは米国特許出願公開第２０１０／０２９８６９０号（以下、’６９０公報）として公表され２０１３年８月２０日に発行された「Ｄｅｖｉｃｅ  ａｎｄ  Ｍｅｔｈｏｄ  ｆｏｒ  ｔｈｅ  Ｇｅｏｍｅｔｒｉｃ  Ｄｅｔｅｒｍｉｎａｔｉｏｎ  ｏｆ  Ｅｌｅｃｔｒｉｃａｌ  Ｄｉｐｏｌｅ  Ｄｅｎｓｉｔｉｅｓ  ｏｎ  ｔｈｅ  Ｃａｒｄｉａｃ  Ｗａｌｌ」という名称の米国特許第８，５１２，２５５号の継続であり、これは国際公開第２００９／０９０５４７号として公表された「Ａ  Ｄｅｖｉｃｅ  ａｎｄ  Ｍｅｔｈｏｄ  ｆｏｒ  ｔｈｅ  Ｇｅｏｍｅｔｒｉｃ  Ｄｅｔｅｒｍｉｎａｔｉｏｎ  ｏｆ  Ｅｌｅｃｔｒｉｃａｌ  Ｄｉｐｏｌｅ  Ｄｅｎｓｉｔｉｅｓ  ｏｎ  ｔｈｅ  Ｃａｒｄｉａｃ  Ｗａｌｌ」という名称の２００９年１月１６日に出願した特許協力条約出願ＰＣＴ／ＩＢ０９／０００７１の米国特許法３７１条の国内移行手続であり、これは２００８年１月１７日に出願されたスイス特許出願第０００６８／０８号の優先権を主張するものであり、これらの各々は本願に引用して援用する。
【０００５】
本出願は、２０１３年９月６日に出願した「Ｄｅｖｉｃｅ  ａｎｄ  Ｍｅｔｈｏｄ  ｆｏｒ  ｔｈｅ  Ｇｅｏｍｅｔｒｉｃ  Ｄｅｔｅｒｍｉｎａｔｉｏｎ  ｏｆ  Ｅｌｅｃｔｒｉｃａｌ  Ｄｉｐｏｌｅ  Ｄｅｎｓｉｔｉｅｓ  ｏｎ  ｔｈｅ  Ｃａｒｄｉａｃ  Ｗａｌｌ」という名称の米国出願第１４／００３，６７１号の優先権を主張するものではないが、これに関連し得るものであり、これは国際公開第２０１２／１２２５１７号（以下、’５１７公報）として公表された「Ｄｅｖｉｃｅ  ａｎｄ  Ｍｅｔｈｏｄ  ｆｏｒ  ｔｈｅ  Ｇｅｏｍｅｔｒｉｃ  Ｄｅｔｅｒｍｉｎａｔｉｏｎ  ｏｆ  Ｅｌｅｃｔｒｉｃａｌ  Ｄｉｐｏｌｅ  Ｄｅｎｓｉｔｉｅｓ  ｏｎ  ｔｈｅ  Ｃａｒｄｉａｃ  Ｗａｌｌ」という名称の特許協力条約出願ＰＣＴ／ＵＳ２０１２／０２８５９３の米国特許法３７１条の国内移行手続であり、これは米国特許仮出願第６１／４５１，３５７号の優先権を主張したものであり、これらの各々は本願に引用して援用する。
【０００６】
本出願は、２０１３年１２月２日に出願した「Ｃａｔｈｅｔｅｒ  Ｓｙｓｔｅｍ  ａｎｄ  Ｍｅｔｈｏｄｓ  ｏｆ  Ｍｅｄｉｃａｌ  Ｕｓｅｓ  ｏｆ  Ｓａｍｅ，  Ｉｎｃｌｕｄｉｎｇ  Ｄｉａｇｎｏｓｔｉｃ  ａｎｄ  Ｔｒｅａｔｍｅｎｔ  Ｕｓｅｓ  ｆｏｒ  ｔｈｅ  Ｈｅａｒｔ」という名称の米国意匠出願第２９／４７５，２７３号の優先権を主張するものではないが、これに関連し得るものであり、これは２０１３年８月３０日に出願した「Ｃａｔｈｅｔｅｒ  Ｓｙｓｔｅｍ  ａｎｄ  Ｍｅｔｈｏｄｓ  ｏｆ  Ｍｅｄｉｃａｌ  Ｕｓｅｓ  ｏｆ  Ｓａｍｅ，  Ｉｎｃｌｕｄｉｎｇ  Ｄｉａｇｎｏｓｔｉｃ  ａｎｄ  Ｔｒｅａｔｍｅｎｔ  Ｕｓｅｓ  ｆｏｒ  ｔｈｅ  Ｈｅａｒｔ」という名称の特許協力条約出願ＰＣＴ／ＵＳ２０１３／０５７５７９の米国特許法３７１条の国内移行手続であり、２０１２年８月３１日に出願した「Ｓｙｓｔｅｍ  ａｎｄ  Ｍｅｔｈｏｄ  ｆｏｒ  Ｄｉａｇｎｏｓｉｎｇ  ａｎｄ  Ｔｒｅａｔｉｎｇ  Ｈｅａｒｔ  Ｔｉｓｓｕｅ」という名称の米国特許仮出願第６１／６９５，５３５号の優先権を主張するものであり、これは本願に引用して援用する。
【０００７】
本出願は、２０１５年７月２３日に出願した「Ｅｘｐａｎｄａｂｌｅ  Ｃａｔｈｅｔｅｒ  Ａｓｓｅｍｂｌｙ  ｗｉｔｈ  Ｆｌｅｘｉｂｌｅ  Ｐｒｉｎｔｅｄ  Ｃｉｒｃｕｉｔ  Ｂｏａｒｄ  （ＰＣＢ）  Ｅｌｅｃｔｒｉｃａｌ  Ｐａｔｈｗａｙｓ」という名称の米国出願第１４／７６２，９４４号の優先権を主張するものではないが、これに関連し得るものであり、これは国際公開第２０１４／１２４２３１号として公表され２０１４年２月７日に出願された「Ｅｘｐａｎｄａｂｌｅ  Ｃａｔｈｅｔｅｒ  Ａｓｓｅｍｂｌｙ  ｗｉｔｈ  Ｆｌｅｘｉｂｌｅ  Ｐｒｉｎｔｅｄ  Ｃｉｒｃｕｉｔ  Ｂｏａｒｄ  （ＰＣＢ）  Ｅｌｅｃｔｒｉｃａｌ  Ｐａｔｈｗａｙｓ」という名称の特許協力条約出願ＰＣＴ／ＵＳ２０１４／１５２６１の米国特許法３７１条の国内移行手続であり、これは２０１３年２月８日に出願した「Ｅｘｐａｎｄａｂｌｅ  Ｃａｔｈｅｔｅｒ  Ａｓｓｅｍｂｌｙ  ｗｉｔｈ  Ｆｌｅｘｉｂｌｅ  Ｐｒｉｎｔｅｄ  Ｃｉｒｃｕｉｔ  Ｂｏａｒｄ  （ＰＣＢ）  Ｅｌｅｃｔｒｉｃａｌ  Ｐａｔｈｗａｙｓ」という名称の米国特許仮出願第６１／７６２，３６３号の優先権を主張するものであり、これは本願に引用して援用する。
【０００８】
本出願は、２０１５年１月１４日に出願した「Ｇａｓ−Ｅｌｉｍｉｎａｔｉｏｎ  Ｐａｔｉｅｎｔ  Ａｃｃｅｓｓ  Ｄｅｖｉｃｅ」という名称の特許協力条約出願ＰＣＴ／ＵＳ２０１５／１１３１２の優先権を主張するものではないが、これに関連し得るものであり、これは２０１４年１月１７日に出願した「Ｇａｓ−Ｅｌｉｍｉｎａｔｉｏｎ  Ｐａｔｉｅｎｔ  Ａｃｃｅｓｓ  Ｄｅｖｉｃｅ」という名称の米国特許仮出願第６１／９２８，７０４号の優先権を主張するものであり、これは本願に引用して援用する。
【０００９】
本出願は、２０１５年３月２４日に出願した「Ｃａｒｄｉａｃ  Ａｎａｌｙｓｉｓ  Ｕｓｅｒ  Ｉｎｔｅｒｆａｃｅ  Ｓｙｓｔｅｍ  ａｎｄ  Ｍｅｔｈｏｄ」という名称の特許協力条約出願ＰＣＴ／ＵＳ２０１５／２２１８７号の優先権を主張するものではないが、これに関連し得るものであり、これは２０１４年３月２８日に出願した「Ｃａｒｄｉａｃ  Ａｎａｌｙｓｉｓ  Ｕｓｅｒ  Ｉｎｔｅｒｆａｃｅ  Ｓｙｓｔｅｍ  ａｎｄ  Ｍｅｔｈｏｄ」という名称の米国特許仮出願第６１／９７０，０２７号の優先権を主張するものであり、これは本願に引用して援用する。
【００１０】
本出願は、２０１６年３月２日に出願した「Ｄｅｖｉｃｅｓ  ａｎｄ  Ｍｅｔｈｏｄｓ  ｆｏｒ  Ｄｅｔｅｒｍｉｎａｔｉｏｎ  ｏｆ  Ｅｌｅｃｔｒｉｃａｌ  Ｄｉｐｏｌｅ  Ｄｅｎｓｉｔｉｅｓ  ｏｎ  ａ  Ｃａｒｄｉａｃ  Ｓｕｒｆａｃｅ」という名称の米国出願第１４／９１６，０５６号の優先権を主張するものではないが、これに関連し得るものであり、これは国際公開第２０１５／０３８６０７号として公表され２０１４年９月１０日に出願した「Ｄｅｖｉｃｅｓ  ａｎｄ  Ｍｅｔｈｏｄｓ  ｆｏｒ  Ｄｅｔｅｒｍｉｎａｔｉｏｎ  ｏｆ  Ｅｌｅｃｔｒｉｃａｌ  Ｄｉｐｏｌｅ  Ｄｅｎｓｉｔｉｅｓ  ｏｎ  ａ  Ｃａｒｄｉａｃ  Ｓｕｒｆａｃｅ」という名称の特許協力条約出願ＰＣＴ／ＵＳ２０１４／５４９４２の米国特許法３７１条の国内移行手続であり、これは２０１３年９月１３日に出願した「Ｄｅｖｉｃｅｓ  ａｎｄ  Ｍｅｔｈｏｄｓ  ｆｏｒ  Ｄｅｔｅｒｍｉｎａｔｉｏｎ  ｏｆ  Ｅｌｅｃｔｒｉｃａｌ  Ｄｉｐｏｌｅ  Ｄｅｎｓｉｔｉｅｓ  ｏｎ  ａ  Ｃａｒｄｉａｃ  Ｓｕｒｆａｃｅ」という名称の米国特許仮出願第６１／８７７，６１７号の優先権を主張するものであり、これは本願に引用して援用する。
【００１１】
心臓の不整脈の発生点の位置を特定するために、患者の心臓内で電気生理学的手段によって心臓の内面に位置する電気ポテンシャルを測定することは一般的なやり方である。方法の１つは、正常な心臓のリズム中または心臓の不整脈中の心臓の電位を記録するために、心臓の中に電極カテーテルを挿入することである。不整脈が規則的な活性化シーケンスを有する場合、電極の箇所で電圧単位で測定される電気的活性化のタイミングは、電気的活性化の三次元マップを生成するために、不整脈の最中に電極をあちこち動かすときに蓄積することができる。これをすることによって、不整脈源の位置特定とメカニズム、すなわちリエントリー回路との情報について、治療（無線周波数アブレーション）を始めるまたは導くために診断することができる。この情報は、心臓について正常なレベルの協調された活性化を再確立するため、植込み可能なペーシング電極が心臓壁または心腔内の特定の位置に配置される心臓再同期治療を導くために使用することもできる。
【００１２】
外部センサを用いる方法は、例えば心電図（ＥＣＧ）およびベクトル心電図法（ＶＣＧ）を含む心電図技法を用いて体表から心臓の電気的活性化を測定する。これらの外部センサの技法は、局所的な心電の活性化に関する情報および／またはデータを与えるためにそれらの能力が制限され得る。これらの方法は、心臓内の生体電気現象の位置を特定することもできない可能性もある。
【００１３】
心臓の不整脈の位置を特定するために外部センサを用いる方法は、体表マッピングを利用する。この技法では、複数の電極が胸郭全体に取り付けられ、心電図（表面ＥＣＧ）の情報は、心臓活性化のマップに蓄積される電圧で測定される。電気的活性化は時間依存性であり心筋層全体にわたって空間的に分布しており、心臓内の生体電気現象の位置をやはり特定できないので、この測定は、不確かであり得る。複雑な数学的方法が、心臓モデルの外面（すなわち、心外膜）上の電気的活性化を決定するのに必要とされ、例えば、ＣＴまたはＭＲＩのイメージングから得られたものは、胸腔内の心臓のサイズおよび向きに関する情報を与える。
【００１４】
代替として、例えば、胴上の位置における電位の記録は、胴表面にわたる体表電位マップ（ＢＳＰＭ）を与えることができる。ＢＳＰＭは、従来のＥＣＧ技法とは異なり得るやり方で局所的な心臓の電気的な活性化を示すことができるが、これらのＢＳＰＭ技法は、一般に、比較的低い分解能、心イベントの位置（例えば、心臓の不整脈の開始の箇所）の視覚的な検出もしくは特定を助けない心臓の電気的な活性化の平滑な投影、および／または局所的活性化の詳細（例えば、心臓内の不整脈惹起性の病巣の個数および位置）を与える。
【発明の概要】
【発明が解決しようとする課題】
【００１５】
電位を使用することによる心臓の不整脈の位置特定は不正確なので、心臓の不整脈の首尾よい治療は、困難となっており、限られた成功および信頼性を実証してきた。したがって、心臓の不整脈を位置特定し、診断し、治療する改善された方法を必要としている。
【課題を解決するための手段】
【００１６】
本発明概念の一態様によれば、周辺組織によって定められた体の腔へ１つ以上の生体電位電極を送り届けるように構成された少なくとも１つのカテーテルと、体に対して向きが固定されるように構成された複数の位置特定電極を備えた患者インターフェースのモジュールと、組織についての操作可能な座標系を確立するように位置特定電極からの位置特定信号を処理するとともに、座標系内で生体電位電極の方位を測定するように生体電位信号を処理するように構成された心臓情報の操作卓とを備える位置特定システムが提供される。
【００１７】
様々な実施形態では、腔は心腔であり、周辺組織は心腔の１つ以上の壁である。
【００１８】
様々な実施形態では、１つ以上の生体電位電極は、少なくとも１つのカテーテルの遠位端に結合された複数の生体電位電極である。
【００１９】
様々な実施形態では、生体電位電極は、３Ｄアレイに配設（配置）されている。
【００２０】
様々な実施形態では、３Ｄアレイは、複数のスプライン（splines）を含む。
【００２１】
様々な実施形態では、３Ｄアレイは、バスケットアレイ（basket array）、螺旋アレイ（spiral array）、バルーン（balloon）、径方向に展開可能なアーム、ならびに／または他の拡張可能および圧縮可能な構造である。
【００２２】
様々な実施形態では、患者インターフェースのモジュールは、患者絶縁（患者隔離）駆動システム（patient isolation drive system）、一組のパッチ電極、および１つ以上の基準電極を備える。
【００２３】
様々な実施形態では、位置特定電極は、一対以上の位置特定電極を含む。
【００２４】
様々な実施形態では、位置特定電極は、二対の位置特定電極を含む。
【００２５】
様々な実施形態では、位置特定電極の各対は、座標系の軸を定める。
【００２６】
様々な実施形態では、位置特定電極は三対の位置特定電極を含み、位置特定電極の各対は座標系の軸の１つを定める。
【００２７】
様々な実施形態では、第１の対の位置特定電極は、肋骨の両側に配置された２つのパッチ電極を有し、第２の対の位置特定電極は、腰部に配置された１つのパッチ電極と、上胸部に配置された１つのパッチ電極とを有し、第３の対の位置特定電極は、上背に配置された１つのパッチ電極と、下腹部に配置された１つのパッチ電極とを有する。
【００２８】
様々な実施形態では、軸は、体の自然軸（natural axis）に非直交である。
【００２９】
様々な実施形態では、複数対の位置特定電極は、軸が原点で交差するとともに原点が心臓内に位置するように配置される。
【００３０】
様々な実施形態では、３つの交差する軸の原点は、心房の体積の中心にある。
【００３１】
様々な実施形態では、絶縁（隔離）駆動システム（isolation drive system）は、電流の漏洩を防ぐために心臓情報の操作卓からの位置特定信号を切り離すように構成されている。
【００３２】
様々な実施形態では、絶縁駆動システムは、位置特定電極の対によって生成された全ての軸の同時出力を維持するように構成されている。
【００３３】
様々な実施形態では、位置特定電極の各対は、異なる位置特定信号によって駆動される。
【００３４】
様々な実施形態では、各位置特定信号は、異なる周波数を有する。
【００３５】
様々な実施形態では、第１の対の電極について生成される信号は、約３９ｋＨｚの周波数を有し、第２の対の電極について生成される信号は、約４８ｋＨｚの周波数を有し、第３の対の電極について生成される信号は、約５２ｋＨｚの周波数を有する。
【００３６】
様々な実施形態では、心臓情報の操作卓は、生体電位の３Ｄアレイの電子表示を調整および補正するように座標系を回転させるようにさらに構成されている。
【００３７】
様々な実施形態では、心臓情報の操作卓は、生体電位の３Ｄアレイの電子表示を調整および補正するように座標系を拡大縮小するようにさらに構成されている。
【００３８】
様々な実施形態では、心臓情報の操作卓は、生体電位の３Ｄアレイの電子表示を生体電位の３Ｄアレイの知られているまたは決定された幾何学的形状に適合させるようにさらに構成されている。
【００３９】
様々な実施形態では、システムは、生体電位電極の３Ｄアレイおよび座標系を表示するように構成されたユーザインターフェースシステムをさらに備える。
【００４０】
様々な実施形態では、ユーザインターフェースシステムは、ユーザが生体電位の３Ｄアレイの画像をグラフィック的に調整および補正するように座標系を回転および／または拡大縮小することを可能にする機構を含む。
【００４１】
様々な実施形態では、心臓情報の操作卓は、電極ごとに、高インピーダンスの入力を有するとともに生体電位電極から生体電位信号を受信するように構成されている生体電位信号の経路、および／または高インピーダンスの入力を有するとともに位置特定電極から位置特定信号を受信するように構成されている位置特定信号の経路をさらに備える。
【００４２】
様々な実施形態では、心臓情報の操作卓は、電極ごとに、生体電位信号の経路と位置特定信号の経路の間に結合されたＤＦＩＢ保護回路をさらに備える。
【００４３】
様々な実施形態では、心臓情報の操作卓は、電極ごとに、生体電位信号の経路および位置特定信号の経路の各出力に結合されたＡＤＣをさらに備える。
【００４４】
様々な実施形態では、心臓情報の操作卓は、処理された生体電位データから心臓活性化のマッピングをもたらすように構成された生体電位信号プロセッサと、生体電位電極の位置を特定するように構成された位置特定信号プロセッサとをＡＤＣ出力に結合された状態でさらに備える。
【００４５】
様々な実施形態では、システムは、電極ごとに、ＡＤＣの出力に結合されているとともに受信したデータ信号の大きさおよび位相を分離するように構成されているＩＱ復調器と、ＩＱ復調器に結合された狭帯域のＩＩＲフィルタと、ＩＩＲフィルタに結合されるとともに、時間ベースでデータの部分を選択的にフィルタ除去するように構成された時間フィルタとをさらに備える。
【００４６】
様々な実施形態では、ＩＱ復調器ごとに、Ｉ部分およびＱ部分を備えた１つのＩＩＲフィルタが存在する。
【００４７】
様々な実施形態では、複数のＩＱ復調器に対して１つのマルチチャンネルのＩＩＲフィルタが存在する。
【００４８】
様々な実施形態では、システムは、１つ以上の補助カテーテルをさらに備える。
【００４９】
様々な実施形態では、１つ以上の補助カテーテルは、アブレーションカテーテル（ablation catheter）または基準カテーテル（reference catheter）のうちの少なくとも１つを備える。
【００５０】
様々な実施形態では、少なくとも１つのカテーテルは、画像データを収集して組織の１つ以上の画像を生成するように構成されている超音波電極をさらに備える。
【００５１】
様々な実施形態では、心臓情報の操作卓は、高インピーダンスの入力を有するとともに超音波電極から超音波信号を受信するように構成された超音波信号の経路をさらに備える。
【００５２】
様々な実施形態では、システムは、少なくとも１つの感知された状態の存在、不存在、および／または変化を示す１つ以上の信号を生成するように構成された１つ以上のセンサを備える。
【００５３】
様々な実施形態では、１つ以上のセンサは、少なくとも１つのカテーテルセンサを含む。
【００５４】
様々な実施形態では、少なくとも１つのカテーテルセンサは、少なくとも１つのカテーテルのカテーテルハンドル、および／または少なくとも１つのカテーテルの遠位端に結合されたカテーテルアレイに取り付けられたまたは一体になったセンサを含む。
【００５５】
様々な実施形態では、少なくとも１つのカテーテルセンサは、血圧センサ、血液ガスセンサ、温度センサ、血糖センサ、ｐＨセンサ、呼吸センサ、平均凝固時間（ＡＣＴ：ａｖｅｒａｇｅ  ｃｌｏｔｔｉｎｇ  ｔｉｍｅ）センサ、およびこれらの１つ以上の組み合わせからなる群から選択される患者の生理学的センサを含む。
【００５６】
様々な実施形態では、１つ以上のセンサは、少なくとも１つの心臓情報の操作卓のセンサを備える。
【００５７】
様々な実施形態では、１つ以上のセンサは、少なくとも１つの患者インターフェースシステムのセンサを備える。
【００５８】
様々な実施形態では、１つ以上のセンサは、カテーテルセンサ、心臓情報の操作卓のセンサ、患者インターフェースシステムのセンサ、およびこれら１つ以上の組み合わせからなる群から選択される少なくとも２つのセンサを含む複数のセンサを備える。
【００５９】
様々な実施形態では、１つ以上のセンサは、力センサ（force sensor）、圧力センサ、歪みゲージ、光学的センサ、撮像センサ、音響センサ、ホール効果センサ、ｐＨセンサ、磁気センサ、温度センサ、およびこれらの１つ以上の組み合わせからなる群から選択される少なくとも１つのセンサを備える。
【００６０】
様々な実施形態では、撮像センサは、レンズおよび／または光ファイバを含む。
【００６１】
様々な実施形態では、音響センサは超音波センサを含む。
【００６２】
様々な実施形態では、センサのうちの１つ以上は、加熱要素、冷却要素、振動要素、薬品または他の薬物を送り届ける要素、磁場を発生する要素、光を送り届ける要素、撮像要素、およびこれらの１つ以上の組み合わせからなる群から選択される少なくとも１つの変換器を備える。
【００６３】
様々な実施形態では、撮像要素は、レンズおよび／または光ファイバを備える。
【００６４】
様々な実施形態では、システムは、１つ以上のセンサによって生成された１つ以上の信号を解析するように構成されている。
【００６５】
様々な実施形態では、システムは、システムによって感知および／または計算された電圧データ、双極子密度データ、表面電荷データ、および／または解剖学的データを組み合わせて、センサのうちの１つ以上によって生成された１つ以上の信号の解析を実行するように構成されている。
【００６６】
様々な実施形態では、１つ以上のセンサからの１つ以上の信号は、システムによって表示された解剖学的画像の改善、システムによって表示される心臓の情報（例えば、双極子密度および／または表面電荷の情報）の改善、システムの不具合の検出、患者の生理学的データの用意、およびこれらの１つ以上の組み合わせからなる群から選択される機能を実行するためにシステムによって使用される。
【００６７】
様々な実施形態では、システムによって表示される心臓の情報は、双極子密度の情報および／または表面電荷の情報のうちの少なくとも１つを含む。
【００６８】
本発明概念の別の態様によれば、少なくとも１つのカテーテルを用いて周辺組織によって定められた体の腔へ１つ以上の生体電位電極を送り届けるステップと、１つ以上の生体電位電極から生体電位信号を受信するステップと、体に対して固定された向きを有する位置特定電極を用いて組織についての操作可能な座標系を確立するステップと、座標系内で生体電位電極の方位を測定するおよび／または方位を再測定するように生体電位信号を処理するステップとを含む位置特定方法が提供される。
【００６９】
様々な実施形態では、腔は心腔であり、周辺組織は心腔の１つ以上の壁である。
【００７０】
様々な実施形態では、１つ以上の生体電位電極は、少なくとも１つのカテーテルの遠位端に結合された複数の生体電位電極である。
【００７１】
様々な実施形態では、生体電位電極は、３Ｄアレイに配設（配置）されている。
【００７２】
様々な実施形態では、３Ｄアレイは、複数のスプラインを含む。
【００７３】
様々な実施形態では、３Ｄアレイは、バスケットアレイ、螺旋アレイ、バルーン、径方向に展開可能なアーム、および／または他の拡張可能および圧縮可能な構造である。
【００７４】
様々な実施形態では、位置特定電極は、一組のパッチ電極と、１つ以上の基準電極とを含む。
【００７５】
様々な実施形態では、位置特定電極は、一対以上の位置特定電極を含む。
【００７６】
様々な実施形態では、位置特定電極は、二対の位置特定電極を含む。
【００７７】
様々な実施形態では、位置特定電極の各対は、座標系の軸を定める。
【００７８】
様々な実施形態では、位置特定電極は三対の位置特定電極を含み、位置特定電極の各対は座標系の軸の１つを定める。
【００７９】
様々な実施形態では、第１の対の位置特定電極は、肋骨の両側に配置された２つのパッチ電極を有し、第２の対の位置特定電極は、腰部に配置された１つのパッチ電極と、上胸部に配置された１つのパッチ電極とを有し、第３の対の位置特定電極は、上背に配置された１つのパッチ電極と、下腹部に配置された１つのパッチ電極とを有する。
【００８０】
様々な実施形態では、軸は、体の自然軸（natural axis）に非直交である。
【００８１】
様々な実施形態では、複数対の位置特定電極は、軸が原点で交差するとともに原点が心臓内に位置するように配置される。
【００８２】
様々な実施形態では、３つの交差する軸の原点は、心房の体積の中心にある。
【００８３】
様々な実施形態では、方法は、位置特定電極の対によって生成された全ての軸の同時出力を維持するステップをさらに含む。
【００８４】
様々な実施形態では、方法は、異なる位置特定信号を用いて位置特定電極の各対を駆動するステップをさらに含む。
【００８５】
様々な実施形態では、各位置特定信号は、異なる周波数を有する。
【００８６】
様々な実施形態では、方法は、約３９ｋＨｚの周波数で第１の対の電極について信号を生成するステップと、約４８ｋＨｚの周波数で第２の対の電極について信号を生成するステップと、約５２ｋＨｚの周波数で第３の対の電極について信号を生成するステップとをさらに含む。
【００８７】
様々な実施形態では、１つ以上の生体電位電極から生体電位信号を受信するステップは、少なくとも１つのプロセッサを用いて、１つ以上の生体電位電極によって感知されおよび／または記録された生体電位の３Ｄアレイの電子表示を調整および補正するように座標系を回転させるステップを含む。
【００８８】
様々な実施形態では、方法は、少なくとも１つのプロセッサを用いて、生体電位の３Ｄアレイの電子表示を調整および補正するように座標系を拡大縮小するステップをさらに含む。
【００８９】
様々な実施形態では、方法は、生体電位の３Ｄアレイの電子表示を生体電位の３Ｄアレイの知られているまたは決定された幾何学的形状に適合させるステップをさらに含む。
【００９０】
様々な実施形態では、方法は、ユーザインターフェースシステムの少なくとも１つの表示装置に生体電位電極の３Ｄアレイおよび座標系を表示するステップをさらに含む。
【００９１】
様々な実施形態では、方法は、ユーザインターフェースシステムとのユーザインタラクションに応答して生体電位の３Ｄアレイの画像をグラフィック的に調整および補正するように座標系を回転および／または拡大縮小するステップをさらに含む。
【００９２】
様々な実施形態では、生体電位信号を処理するステップは、受信している生体電位信号に基づいてＩおよびＱのデータを受信するステップと、ＩＱデータを電圧データへ変換するステップと、電極アレイの知られているおよび／または測定された形状に基づいて軸補正因子を電圧データに適用するステップと、電極アレイの知られているおよび／または測定された形状に基づいて、拡大縮小行列を決定し、感知された電圧データに拡大縮小行列を適用するステップと、電圧データの軸補正および拡大縮小に基づいて、補正された電圧値を有する各電極の位置の値を計算するステップと、各電極の計算された位置の値を知られているバスケット構成に適合させるステップとを含む。
【００９３】
様々な実施形態では、方法は、計算された電極位置へ適用、適合、および回転させるステップと、電極位置を更新するステップとをさらに含む。
【００９４】
様々な実施形態では、方法は、次の組の生体電位データが存在する場合、次の組の生体電位データについて方法を繰り返すステップをさらに含む。
【００９５】
様々な実施形態では、位置特定電極は複数対の位置特定電極を含み、位置特定電極の対ごとに１つの軸が存在し、方法は、電極アレイが所定の形状をとるまで、軸のうちの１つ以上を回転させ、拡大縮小し、および／またはスキュー修正するステップを含む。
【００９６】
様々な実施形態では、電極アレイは、３Ｄバスケットアレイ（3D basket array）である。
【００９７】
様々な実施形態では、方法は、ユーザインターフェースサブシステムの表示装置に電極アレイを表示するステップをさらに含む。
【００９８】
様々な実施形態では、拡大縮小行列を適用するステップは、電極アレイの長さまたはサイズが正しくない場合、電極アレイの知られているまたは決定された比率に基づいて、電極アレイの知られているまたは決定された比率が実現されるまで電極アレイの軸のうちの１つ以上をより長くまたはより短く拡大縮小させるステップを含む。
【００９９】
様々な実施形態では、方法は、電極ごとに、高インピーダンスの入力を有する生体電位信号の経路を介して生体電位電極から生体電位信号を受信するステップ、および／または高インピーダンスの入力を有する位置特定信号の経路を介して位置特定電極から位置特定信号を受信するステップをさらに含む。
【０１００】
様々な実施形態では、方法は、電極ごとに、生体電位信号の経路と位置特定信号の経路との間にＤＦＩＢ保護回路を結合するステップをさらに含む。
【０１０１】
様々な実施形態では、方法は、電極ごとに、生体電位信号の経路および位置特定信号の経路の各出力をＡＤＣに結合するステップをさらに含む。
【０１０２】
様々な実施形態では、方法は、生体電位信号プロセッサおよび位置特定信号プロセッサをＡＤＣ出力に結合するステップと、生体電位信号プロセッサを用いて処理された生体電位データから心臓活性化のマッピングを行うステップと、位置特定信号プロセッサを用いて生体電位電極の位置を特定するステップとをさらに含む。
【０１０３】
様々な実施形態では、方法は、電極ごとに、ＩＱ復調器をＡＤＣの出力に結合するとともに、受信した生体電位信号の大きさおよび位相を分離するステップと、狭帯域のＩＩＲフィルタをＩＱ復調器に結合するステップと、時間フィルタをＩＩＲフィルタに結合するとともに、時間ベースでデータの部分を選択的にフィルタ除去するステップとをさらに含む。
【０１０４】
様々な実施形態では、ＩＱ復調器ごとに、Ｉ部分およびＱ部分を備えた１つのＩＩＲフィルタが存在する。
【０１０５】
様々な実施形態では、複数のＩＱ復調器に対して１つのマルチチャンネルのＩＩＲフィルタが存在する。
【０１０６】
様々な実施形態では、方法は、体の腔へ１つ以上の補助カテーテルを送り届けるステップをさらに含む。
【０１０７】
様々な実施形態では、１つ以上の補助カテーテルは、アブレーションカテーテルまたは基準カテーテルのうちの少なくとも１つを備える。
【０１０８】
様々な実施形態では、少なくとも１つのカテーテルは、超音波電極をさらに備え、方法は、超音波電極から画像データを収集して組織の画像を生成するステップを含む。
【０１０９】
様々な実施形態では、方法は、高インピーダンスの入力を有する超音波信号の経路を介して超音波電極から超音波信号を受信するステップをさらに含む。
【０１１０】
本発明概念の各態様によれば、図示および／または説明されたような位置特定方法が提供される。
【０１１１】
本発明概念の各態様によれば、図示および／または説明されたような位置特定システムが提供される。
【０１１２】
本発明概念の各態様によれば、図示および／または説明されたような心臓情報の処理システムが提供される。
【図面の簡単な説明】
【０１１３】
【図１】本発明概念の各態様による心臓情報の処理システムの一実施形態のブロック図である。
【図２】図１の位置特定駆動回路およびＵＩシステムの一実施形態の回路図である。
【図３】本発明概念の各態様による、患者の正面図および背面図、ならびに相対的な電極配置を与える図である。
【図４】本発明概念の各態様による心臓情報の処理システムの別の実施形態のブロック図である。
【図５】本発明概念の各態様による位置特定信号の処理を実行するように協働する機能要素の一実施形態のブロック図である。
【図６】本発明概念の各態様による、図５の手法の一実施としての、位置特定信号の処理を実行するように協働する機能要素の一実施形態のブロック図である。
【図７】本発明概念の各態様による、図５の手法の別の実施としての、位置特定信号の処理を実行するように協働する機能要素の一実施形態のブロック図である。
【図８】本発明概念の各態様による位置特定方法の一実施形態である。
【図９】本発明概念の各態様によるアブレーションカテーテルの概略図である。
【図１０】本発明概念の各態様による超音波の高い入力インピーダンスのスイッチの概略図である。
【発明を実施するための形態】
【０１１４】
様々な例示的な実施形態は、いくつかの例示的な実施形態が示されている添付図面を参照して以下により十分に説明される。しかしながら、本発明概念は、多くの異なる形態で具体化することができ、本明細書中に記載された例示的な各実施形態に限定されるものとして解釈されるべきではない。
【０１１５】
第１、第２などの用語が様々な要素を説明するために本明細書中に使用されるが、これらの要素は、これらの用語によって限定されるべきではないことを理解されよう。これらの用語は、ある要素と別の要素を区別するために使用されるが、必要とされる要素の順序を示唆するものではない。例えば、本発明の範囲から逸脱することなく、第１の要素は第２の要素と呼ぶことができ、同様に、第２の要素は第１の要素と呼ぶことができる。本明細書中に使用されるとき、用語「および／または」は、関連して列挙された項目のうちの１つ以上のいずれかおよび全部の組み合わせを含む。そして、関連して列挙された項目の「組み合わせ」は、列挙された項目の全部を含む必要はないが、列挙された項目の全部を含むことができる。
【０１１６】
ある要素が別の要素「にある」、または別の要素に「取り付けられる」、「接続される」もしくは「結合される」と呼ばれるとき、ある要素は、他の要素に直接あってもよく、または他の要素に直接接続または結合されてもよく、あるいは介在する要素が存在してもよいことが理解されよう。逆に、ある要素が別の要素「に直接ある」、または別の要素に「直接接続される」もしくは「直接結合される」と呼ばれるとき、介在する要素の存在はない。要素間の関係を説明するために使用される他の語は、同じように解釈されるべきである（例えば、「間」と「直接間」、「隣接」と「直接隣接」など）。
【０１１７】
本明細書中に使用される専門用語は、特定の実施形態を説明するためのものにすぎず、本発明を限定するものではない。本明細書中に使用されるとき、単数形「ａ」、「ａｎ」、および「ｔｈｅ」は、文脈上明白に他のものを示すのでない限り、複数形も含むものとする。用語「備える、含む、構成される（ｃｏｍｐｒｉｓｅｓ）」、「備える、含む、構成される（ｃｏｍｐｒｉｓｉｎｇ）」、「含む、備える（ｉｎｃｌｕｄｅｓ）」、および／または「含む、備える（ｉｎｃｌｕｄｉｎｇ）」は、本明細書中に使用されるとき、述べた特徴、ステップ、動作、要素、および／または構成要素の存在を特定するが、１つ以上の他の特徴、ステップ、動作、要素、構成要素、および／またはそれらの群の存在もしくは追加を除外しないことを理解されよう。
【０１１８】
「すぐ下」、「下方」、「下」、「上方」、「上」等などの空間的に相対的な用語は、例えば、図に示されるような要素および／または特徴の別の要素および／または特徴に対する関係を説明するために使用され得る。空間的に相対的な用語は、図に示された向きに加えて、使用時および／または動作時の装置の様々な向きを包含するものであることを理解されよう。例えば、図中の装置がひっくり返された場合、他の要素もしくは特徴の「下」および／または「すぐ下」と説明された要素は、他の要素もしくは特徴の「上方」に向けられる。さもなければ、装置は、（例えば、９０度回転して、または他の向きに）向けることができ、本明細書中に使用される空間的に相対的な記載は、それに応じて解釈される。
【０１１９】
様々な例示的な実施形態は、理想化されたまたは代表的な構造および中間構造の参考図を用いて本明細書中に説明される。したがって、例えば製造技法および／または製造公差の結果として、例示の形状からの変化が予期されよう。したがって、例示的な実施形態は、本明細書中に示された領域の特定の形状に限定されるものと解釈されるべきではなく、例えば製造に起因する形状の逸脱を含むことになる。
【０１２０】
機能的特徴、動作、および／またはステップが本明細書中に記載されている限りにおいて、またはさもなければ本発明概念の様々な実施形態の範囲内に含まれると理解される限りにおいて、そのような機能的特徴、動作、および／またはステップは、機能的なブロック、ユニット、モジュール、動作、および／または方法に具体化することができる。さらに、そのような機能的なブロック、ユニット、モジュール、動作、および／または方法がコンピュータプログラムコードを含む限りにおいて、そうしたコンピュータプログラムコードは、例えば少なくとも１つのコンピュータのプロセッサによって実行可能である非一時的なメモリおよび媒体などのコンピュータ可読媒体に記憶することができる。
【０１２１】
次に図１を参照すると、本発明概念の各態様による心臓情報の処理システム１００の一実施形態のブロック図が与えられる。心臓情報の処理システム１００は、不整脈などの異常の治療などのために心臓のマッピング、診断、および／または治療を実行するように構成されたシステムとすることができまたは備えることができる。加えてまたは代替として、システムは、患者Ｐの心臓の異常または病気を診断するおよび／または治療する装置および方法を教示および／または確認するために構成されたシステムであってもよい。
【０１２２】
心臓情報の処理システム１００は、カテーテル１０と、心臓情報の操作卓２０と、心臓情報の処理システム１００の様々な機能を遂行するよう協働するように構成することができる患者インターフェースのモジュール５０とを備える。好ましくは、心臓情報の処理システム１００は、単一の電源（ＰＷＲ）を備え、この単一の電源（ＰＷＲ）は、心臓情報の操作卓２０と患者インターフェースのモジュール５０とによって共有することができる。典型的なシステムとは異なり、このやり方における単一の電源の使用は、漏洩電流が患者インターフェースのモジュール５０に伝搬し位置特定の誤差を引き起こす機会を大きく減少させることができる。
【０１２３】
カテーテル１０は、心腔（ＨＣ）へ経皮的に送り届けることができる電極アレイ１２を備える。電極アレイは、知られている空間的な構成を有する。例えば、拡張した状態において、各電極の物理的関係は、知られており得るまたは確実に仮定され得る。診断用のカテーテル１０は、ハンドル１４と、ハンドル１４から延びる細長い可撓性のシャフト１６とも備える。シャフト１６の遠位端には、径方向に拡張可能および／または圧縮可能な組立体の形態における３Ｄアレイのような電極アレイ１２が取り付けられる。この実施形態では、電極アレイ１２は、バスケットアレイとして示されているが、他の実施形態では、電極アレイは、他の形態をとってもよい。いくつかの実施形態では、拡張可能な電極アレイ１２は、２０１３年８月３０日に出願した「Ｓｙｓｔｅｍ  ａｎｄ  Ｍｅｔｈｏｄ  ｆｏｒ  Ｄｉａｇｎｏｓｉｎｇ  ａｎｄ  Ｔｒｅａｔｉｎｇ  Ｈｅａｒｔ  Ｔｉｓｓｕｅ」という名称の出願人の同時係属中の特許協力条約の特許出願第ＰＣＴ／ＵＳ２０１３／０５７５７９号を参照して説明されるように構成および配置されており、この出願の内容全体を本願に引用して援用する。他の実施形態では、３Ｄアレイのような拡張可能な電極アレイ１２は、バルーン、径方向に展開可能なアーム、螺旋、および／または他の拡張可能および圧縮可能な構造を備えることができる。
【０１２４】
シャフト１６および拡張可能な電極アレイ１２は、身体（例えば、動物の身体、または患者Ｐの身体などの人体）に挿入され、大腿静脈または他の血管などの身体血管を通じて前進させられるように構成および配置される。例として、シャフト１６および電極アレイ１２は、電極アレイ１２が圧縮された状態にあるときなどに導入器（図示せず）を通じて挿入され、シャフトの内腔を通じて右心房または左心房などの心腔（ＨＣ）などの身体空間の中に摺動可能に前進させられるように構成および配置することができる。
【０１２５】
拡張可能な電極アレイ１２は、複数のスプラインをさらに備えることができ、各スプラインは、複数の電極１２ａを有する。３つのスプラインは図１に見ることができるが、バスケットアレイは３つのスプラインに限定されず、より多くのまたはより少ないスプラインがバスケットアレイに含まれてもよい。各電極１２ａは、心臓の表面または心腔ＨＣ内の位置に存在する電圧などの電圧を記録するように構成することができる。非限定の例として、本実施形態では、３つの電極１２ａは、スプラインごとに示されている。しかしながら、他の実施形態では、バスケットアレイは、より多くのまたはより少ない電極を備えることができる。
【０１２６】
カテーテル１０は、それぞれコネクタ１８ａおよび２０ａを介してカテーテル１０を心臓情報の操作卓２０に電気的、光学的、および／または電気光学的に接続するように構成されたケーブル１８などのケーブルまたは他の導管を備えることができる。
【０１２７】
患者インターフェースのモジュール５０は、（例えば、衝撃または他の不要な電気エネルギーが患者Ｐに不要に伝達されるのを防ぐために）患者Ｐから心臓情報の操作卓２０の１つ以上の構成要素を電気的に切り離すように構成することができる。患者インターフェースのモジュール５０は、心臓情報の操作卓２０と統合することができ、および／または患者インターフェースのモジュール５０は、図示されるように、別個の分離した構成要素（例えば、別個のハウジング）を備えることができる。心臓情報の操作卓２０は、１つ以上のコネクタ２０ｂを備え、各々は、ジャック、プラグ、ターミナル、ポート、または他の特注または標準の電気的、光学的、または電気光学的なコネクタで構成される。同様に、患者インターフェースのモジュール５０は、１つ以上のコネクタ５０ｂを備える。少なくとも１つのケーブル５２は、コネクタ２０ｂおよび５０ｂを介して患者インターフェースのモジュール５０を心臓情報の操作卓２０と接続する。
【０１２８】
患者インターフェースのモジュール５０は、患者絶縁（患者隔離）駆動システム（patient isolation drive system）５４と、一組の位置特定電極とを備える。この実施形態では、位置特定電極の組は、一組のパッチ電極５６と１つ以上の基準電極５８とを備える。絶縁駆動システム５４は、性能劣化をもたらす電流の漏洩、例えば信号損失を防ぐために、システムの残りから位置特定信号を切り離す。絶縁駆動システム５４は、位置特定の位置におけるドリフトを最小限にし、軸間で高い切り離しを維持することができる。さらに、絶縁駆動システム５４は、全ての軸の同時出力を維持する一方、各電極位置におけるサンプリングレートも増大させる。いくつかの実施形態では、サンプリングレートは、およそ６２５ｋＨｚのサンプリングレートなどの１０ｋＨｚから１ＭＨｚの間のレートで構成される。
【０１２９】
この実施形態では、パッチ電極５６の組は、三対のパッチ電極、すなわち、肋骨（Ｘ１，Ｘ２）の両側に配置された２つのパッチ電極を有する「Ｘ」対、腰部（Ｚ１）に配置された１つのパッチ電極および上胸部（Ｚ２）に配置された１つのパッチ電極を有する「Ｚ」対、ならびに上背（Ｙ１）に配置された１つのパッチ電極および下腹部（Ｙ２）に配置された１つのパッチ電極を有する「Ｙ」対を含む。パッチ電極５６の対は、任意の直交および／または非直交の軸の組に配置することができる。図１の実施形態では、電極の配置は、患者Ｐに示されており、ここで、背面の電極は、破線で示されている。
【０１３０】
電極５６の配置は、パッチ電極５６の対ごとに１つの軸である３つの軸で構成されている座標系を定める。いくつかの実施形態では、軸は、身体の自然軸、すなわち頭部と足指、胸と背、側面と側面（すなわち、肋骨と肋骨）に非直交である。電極は、心臓内に位置する原点などの原点で軸が交差するように配置することができる。例えば、３つの交差する軸の原点は、心房の体積の中心にあり得る。システム１００は、（例えば、位置特定された位置で正の電圧から負の電圧へ横断するのを回避するために）結果として生じた電気的なゼロが心臓の外側にあるように基準電極５８を設けることなどによって心臓の外側に配置される「電気的なゼロ」を与えるように構成することができる。
【０１３１】
心臓情報の操作卓２０による処理によって、軸は、通常の生理学的な向き、すなわち前後、頭尾、左右から回転することができる。回転された軸は、空間分解能の改善をもたらす。所望の回転が実現されると、各軸は、必要に応じて、拡大縮小、すなわちより長くまたはより短くすることができる。回転および拡大縮小は、期待されるまたは知られている電極アレイ１２の形状および相対的な寸法をパッチ電極が確立された座標系における電極アレイの表示と比較することに基づいて実行される。そのような場合には、回転および拡大縮小は、正しくない表示をより正確な表示に導くために実行される。したがって、電極アレイ１２の表示を整形および拡大縮小することは、よりいっそう正確な位置特定のために、軸の向きおよび相対的サイズを調整および補正する役割を果たす。
【０１３２】
基準電極５８は、患者の基準としてパッチ電極および／または電気的な基準カテーテルとすることができるまたは含むことができる。パッチ電極は、皮膚に配置することができるとともに、除細動のための電流のためのリターンとして働く。電気的な基準カテーテルは、ベースライン機能およびリストア機能に使用される単極の基準電極を備えることができるとともに、コモンモード除去に使用することができる。電気的な基準カテーテルの別の形態は、内部のアナログ基準電極であり得、これは全ての内部のカテーテル電極のための低雑音「アナログ接地」として働き得る。これらのタイプの各基準電極は、（カテーテルとして）内部の血管における腰部、および／または（パッチとして）腰部の近くなどに比較的に同様の位置に配置することができる。いくつかの実施形態では、システム１００は、固定機構（例えば、ユーザにより作動させられる固定機構）を含む基準カテーテル５８を備え、この固定機構は、基準カテーテル５８の１つ以上の電極の変位（例えば、偶発的またはその他の意図しない動き）を減少させるように構成および配置することができる。固定機構は、螺旋拡張器、球状の拡張器、周方向の拡張器、軸方向に作動する拡張器、回転可能に作動する拡張器、およびこれらの２つ以上の組み合わせからなる群から選択される機構を備えることができる。
【０１３３】
図１には、心臓情報の操作卓２０の受信機の構成要素の態様が示されている。心臓情報の操作卓２０は、カテーテル１０から心臓の情報を受信するように構成されているコネクタ２０ａに接続された入力除細動保護モジュール２２を備える。ＤＦＩＢ保護モジュール２２は、正確な制限電圧および最小静電容量を有するように構成されている。機能的には、ＤＦＩＢ保護モジュール２２は、サージ保護装置として働く。
【０１３４】
ＤＦＩＢ保護モジュール２２は、生体電位（ＢＩＯ）信号の経路３０および位置特定（ＬＯＣ）信号の経路４０という２つの信号の経路に結合されている。概して、ＢＩＯの経路３０は、雑音をフィルタ処理し、測定された生体電位データを保存し、生体電位信号が除去されている間に読み込まれることも可能にするものであり、他のシステムではこのようにはならない。概して、ＬＯＣの経路４０は、受信した位置特定データから雑音をフィルタ処理しつつ高電圧の入力を可能にする。
【０１３５】
ＢＩＯ信号の経路３０は、ＤＦＩＢ保護モジュール２２に結合されたＲＦフィルタ３１を備える。この実施形態では、ＲＦフィルタ３１は、高い入力インピーダンスを有するローパスフィルタとして動作する。高い入力インピーダンスは、それが例えばカテーテル１０などの源からの電圧の損失を最小にし、それによって受信した信号のより良い保存をするので本実施形態において好ましい。ＲＦフィルタ３１は、カテーテル１０にある電極１２ａからの生体電位信号が、例えば、０．１Ｈｚから５００Ｈｚの範囲内の周波数などの５００Ｈｚ未満の周波数を通過することを可能にするように構成されている。しかしながら、アブレーション等からの高電圧は、生体電位信号の経路３０からフィルタ除去される。ＲＦフィルタ３１は、１０ｋＨｚと１２ｋＨｚの間の帯域幅を備えることができる。
【０１３６】
ＢＩＯ増幅器３２は、ＲＦフィルタ処理済みの信号を増幅する低雑音のシングルエンド入力増幅器であることが好ましい。ＢＩＯフィルタ３３は、増幅済みの信号から雑音をフィルタ処理する。ＢＩＯフィルタ３３は、およそ３ｋＨｚのフィルタで構成することができる。いくつかの実施形態では、例えば心臓のペーシングに対応する（例えば、心臓のペーシングの最中のかなり大きい信号損失および／または劣化を回避する）ようにシステム１００が構成されるとき、ＢＩＯフィルタ３３は、およそ７．５ｋＨｚのフィルタで構成される。
【０１３７】
ＬＯＣ信号の経路４０は、ＤＦＩＢ保護モジュール２２に結合された高電圧バッファ４１を備える。この実施形態では、高電圧バッファ４１は、ＲＦアブレーションなどの治療技法に使用される比較的高いＲＦ電圧に対応するように構成されている。例えば、高電圧バッファは、１００個の電圧レールを有することができる。高電圧バッファ４１は、高電圧バッファ４１が前置フィルタの段を含まないときなどに高い入力インピーダンスも有し、高周波で良好な性能を有する。高周波帯域通過フィルタ４２は、高電圧バッファ４１に結合され、位置特定に使用するために約２０ｋＨｚから８０ｋＨｚの通過帯域周波数の範囲を有する。好ましくは、フィルタ４２は、良好な利得、例えば１の利得と共に低雑音を有する。
【０１３８】
ＡＤ（アナログ／デジタル）コンバータＡＤＣ２４は、ＢＩＯ信号の経路３０のＢＩＯフィルタ３３とＬＯＣ信号の経路４０の高周波フィルタ４２とに結合されている。ＡＤＣ２４は、例えば、約６２５ｋＨｚのオーバーサンプリングレートで雑音の波形整形およびフィルタリングを可能にするように高いオーバーサンプリングを有する。いくつかの実施形態では、サンプリングは、システム１００のナイキスト周波数またはそれよりも上で実行される。ＡＤＣ２４は、ＢＩＯ信号とＬＯＣ信号を合成することができるまたはＢＩＯ信号とＬＯＣ信号を別々に維持することができるマルチチャンネル回路である。一実施形態では、マルチチャンネル回路として、ＡＤＣ２４は、合計８０個のチャンネルのために、（例えば、アブレーションまたは他の処理のために）４８個の生体電位電極１２ａと３２個の補助電極とを収容するように構成することができる。他の実施形態では、より多くのまたはより少ないチャンネルが設けられてもよい。図１では、例えば、心臓情報の操作卓２０のほとんど全ての要素は、例えば、ＵＩシステム２７を除いて、チャンネルごとにそっくり同じであり得る。例えば、心臓情報の操作卓２０は、チャンネルごとに別個のＡＤＣ、または８０個のチャンネルＡＤＣを備えることができる。
【０１３９】
２つの異なる信号および信号の経路３０、４０と一致して、各経路からの信号情報は、ＡＤＣ２４の様々なチャンネルに入力されたりそこから出力されたりする。ＡＤＣ２４のチャンネルからの出力は、以下本明細書中に説明されるような続く処理のためにそれらのそれぞれの信号を前処理するＢＩＯ信号の処理モジュール３４またはＬＯＣ信号の処理モジュール４４のいずれかに結合される。いずれの場合にも、後述されるそれらのそれぞれの専用プロセッサによる処理のために、前処理が受信した信号を準備する。いくつかの実施形態では、ＢＩＯ信号の処理モジュール３４およびＬＯＣ信号の処理モジュール４４は、全部または一部がファームウェアにおいて実施することができる。
【０１４０】
生体電位信号の処理モジュール３４は、利得およびオフセットの調整、ならびに非分散のローパスフィルタおよび中間の周波数帯域を有するデジタルＲＦフィルタリングを行うことができる。中間の周波数帯域は、アブレーション信号および位置特定信号をなくすことができる。さらに、生体電位信号の処理は、ペースブランキングを含むこともでき、このペースブランキングは、例えば医師が心臓を「ペーシング」しているときに時間フレーム中に受信した情報のブランキングである。心臓のペーシングは、標準的な手段によって臨床的に適用される。ペーシングは、心臓のリズムを一時的に変えて心臓壁上の特定の位置から心臓の鼓動を誘発するために、またはペーシングパルスの伝搬速度で見ることによって心臓の組織の健康を検査するために使用することができる。
【０１４１】
前述のことを達成するために、能動的および受動的なペーシングのトリガ、および入力アルゴリズムのトリガの決定が行われ得る。アルゴリズムのトリガの決定は、ペーシングが生じているか決定するためにチャンネルの部分セット、エッジ検出、および／またはパルス幅検出を使用することができる。生体電位信号の処理モジュール３４は、最適化された出力サンプルレートを有する非分散のローパスフィルタであり得るデジタルの生体電位フィルタリングを含むこともできる。
【０１４２】
位置特定信号の処理モジュール４４は、以下本明細書中に説明されるように、個々のチャンネル／周波数利得の較正、調節された復調の位相を有するＩＱ復調、同期および連続的な復調（多重化ではない）、狭帯域のＩＩＲフィルタリング、および時間フィルタリング（インターリービング、ブランキングなど）を行うことができる。
【０１４３】
複数タイプの処理回路（例えば、マイクロプロセッサ）およびメモリのうちの１つ以上を備え得るデータプロセッサ２６は、ＢＩＯ信号の処理モジュール３４および位置特定信号の処理モジュール４４からの前処理した信号の処理を実行するのに必要なコンピュータの命令を実行する。データプロセッサ２６は、計算を実行するとともに心臓情報の処理システム１００の機能を実行するのに必要なデータの記憶および検索を実行するように構成することができる。
【０１４４】
この実施形態では、データプロセッサ２６は、生体電位（Ｂｉｏ）プロセッサ３６と、位置特定（ＬＯＣ）プロセッサ４６とを備える。生体電位プロセッサ３６は、測定された生体電位の処理を実行することができる。ＬＯＣプロセッサ４６は、位置特定信号の処理を実行することができる。
【０１４５】
生体電位プロセッサ３６は、様々な計算を実行するように構成することができる。例えば、ＢＩＯプロセッサ３６は、強化されたコモンモード除去フィルタを備えることができ、これは、歪みを最小にするように双方向性であり得るとともにコモンモード信号が導入され得る。ＢＩＯプロセッサ３６は、最適化された超音波除去フィルタを備えることもできるとともに、選択可能な帯域幅のフィルタリングのために構成することができる。
【０１４６】
位置特定プロセッサ４６は、様々な計算を実行するように構成することができる。以下により詳細に説明されるように、ＬＯＣプロセッサ４６は、電極アレイ１２の知られている形状に基づいて軸の補正を電子的に行い（計算し）、電極アレイ１２の知られている形状に基づいて１つ以上の軸の拡大縮小の補正を行い、測定された電極位置を知られている可能性のある構成と整合するように「適合」を実行することができ、これは、１つ以上の制約（例えば、単一のスプライン上の２つの電極１２ａの間の距離、２つの異なるスプライン上の２つの電極１２ａ間の距離、２つの電極１２ａ間の最大距離、２つの電極１２ａ間の最小距離、背部の最小および／または最大の湾曲などの物理的制約）を用いて最適化され得る。
【０１４７】
心臓情報の操作卓２０は、位置特定信号の発生器２８と位置特定駆動電流の監視回路２９とを含む位置特定駆動回路も備える。位置特定駆動回路は、高周波の位置特定駆動信号（例えば、１０ｋＨｚ〜１００ｋＨｚなどの１０ｋＨｚ〜１ＭＨｚ）を供給する。これらの高周波における駆動信号を用いる位置特定によって、例えば血球の変形に基づく細胞応答の位置特定データに対する影響を低減し、および／またはより高い駆動電流が例えばより良い信号対雑音比を実現することを可能にする。信号発生器２８は、超低位相雑音のタイミングで駆動信号（例えば、正弦波）の高分解能のデジタル合成をもたらす。駆動電流の監視回路は、高電圧で広帯域の電流源を与え、これは患者Ｐのインピーダンスを測定するために監視される。
【０１４８】
心臓情報の操作卓２０は、位置特定および生体電位の処理の結果を出力するように構成されたユーザインターフェース（ＵＩ）のサブシステム２７を備えることもできる。ＵＩサブシステム２７は、２Ｄ、３Ｄ，またはそれらの組み合わせでそのような結果をグラフィック的に描画する少なくとも１つの表示装置２７ａを備えることもできる。ユーザインターフェースシステム２７は、生体電位の３Ｄアレイの画像をグラフィック的に調整および補正するために、ユーザが座標系を回転および／または拡大縮小することを可能にする１つ以上の機構を備えることもできる。そのような機構は、タッチスクリーン、マウス、キーボード、ライトペン、トラックボール、マイクロフォンなどを含み得る。
【０１４９】
いくつかの実施形態では、図１にそれぞれ示されるように、システム１０は、信号をそれぞれが生成するように構成された１つ以上のセンサ、カテーテル１０のセンサ（例えば、ハンドル１４のセンサ１４ａ、またはアレイ１２のセンサ１２ｃ）、心臓情報の操作卓２０のセンサ２０ｂ、および／または患者インターフェースのモジュール５０のセンサ５０ａを備える。いくつかの実施形態では、システム１０は、センサ１２ｃ、１４ａ、２０ｂ、および／または５０ａのうちの２つ以上を備える。いくつかの実施形態では、センサ１２ｃ、１４ａ、２０ｂ、および／または５０ａは、力センサ、圧力センサ、歪みゲージ、光学的センサ、撮像センサ（例えば、レンズまたは光ファイバ）、超音波センサなどの音響センサ、ホール効果センサ、ｐＨセンサ、磁気センサ、温度センサ、およびこれらの１つ以上の組み合わせからなる群から選択されるセンサを備える。いくつかの実施形態では、センサ１２ｃは、血圧センサ、血液ガスセンサ、温度センサ、血糖センサ、ｐＨセンサ、呼吸センサ、平均凝固時間（ＡＣＴ）センサ、およびこれらの１つ以上の組み合わせからなる群から選択されるセンサなどの患者の生理学的センサを含む。いくつかの実施形態では、システム１０は、センサ１２ｃ、１４ａ、２０ｂ、および／または５０ａのうちの１つ、２つ、またはそれ以上によって生成された信号を解析するように構成されている。いくつかの実施形態では、システム１０（例えば、心臓情報の操作卓２０）は、電圧データ、双極子密度データ、表面電荷データ、および／または解剖学的データ（例えば、１つ以上の超音波変換器１３３によって収集された解剖学的データ）と組み合わせて、センサ１２ｃ、１４ａ、２０ｂ、および／または５０ａのうちの１つ、２つ、またはそれ以上によって生成された１つ以上の信号の解析を実行するように構成されている。いくつかの実施形態では、１つ以上のセンサ１２ｃ、１４ａ、２０ｂ、および／または５０ａからの信号は、システム１０によって表示された解剖学的画像の改善、システム１０によって表示される心臓の情報（例えば、双極子密度および／または表面電荷の情報）の改善、システム１０の不具合の検出、患者の生理学的データの用意、およびこれらの１つ以上の組み合わせからなる群から選択される機能を実行するためにシステム１０によって使用される。いくつかの実施形態では、センサ１２ｃ、１４ａ、２０ｂ、および／または５０ａのうちの１つ以上は、（例えば、センサの代替としてまたはセンサに加えて）加熱要素、冷却要素、振動要素、薬品または他の薬物を送り届ける要素、磁場を発生する要素、光を送り届ける要素、（レンズおよび／または光ファイバなどの）撮像要素、およびこれらの１つ以上の組み合わせからなる群から選択される変換器などの変換器を備えることができる。
【０１５０】
図２は、図１の位置特定駆動回路およびＵＩシステムの一実施形態の回路図を与える。図２は、図１のＵＩサブシステム２７、位置特定信号の発生器２８、および位置特定駆動電流の監視回路２９の部分を示す。
【０１５１】
位置特定信号の発生器２８は、正弦波などの位置特定のための波形を発生させるＤＤＳ（ダイレクトデジタルシンセサイザ）である。１つの波形は、「軸」ごとに発生する（現在、３軸システム）。高い周波数の正弦波が、異なる周波数の３つの正弦波のように軸ごとに発生する。例えば、Ｘ対の電極のために発生する信号は、３９ｋＨｚにおけるものとすることができ、Ｙ対の電極のために発生する信号は、４８ｋＨｚにおけるものとすることができ、Ｚ対の電極のために発生する信号は、５２ｋＨｚにおけるものとすることができる。
【０１５２】
駆動電流の監視回路２９は、出力としてＡＤＣを用いて位置特定システムによって患者Ｐへ送り届けられる電流を監視し維持するためのフィードバックシステムを与える。駆動電流の監視回路２９は、電流出力を監視し、身体のインピーダンスなどのシステムの物理的変数、パッチ配置に関する問題、物理的変数の変化、ならびに／あるいはハードウェアの誤差および／または故障を決定することができる。
【０１５３】
この実施形態では、心臓情報の操作卓２０および患者インターフェースのモジュール５０は、単一の電源の使用によって共通の接地を共有する。示されるように、患者インターフェースのモジュール５０は、変圧器を用いて位置特定ドライバの切り離しを行う。これは、異なる電極対を駆動する（例えば、現在３つの電極対が３つの異なる周波数を用いて同時に駆動されている）一方で、より良い切り離しをもたらす。
【０１５４】
図２には、電極対における２つの電極間のインピーダンスが、「Ｚ」（インピーダンスについての通例の記号）によって示されている。
【０１５５】
図３は、本発明概念の各態様による患者の正面図および背面図、ならびに相対的な電極配置を与える図である。この図は、上述したような好ましいパッチ電極の配置を示す。図１には、例えば、Ｘ電極Ｘ１およびＸ２はそれぞれパッチ電極１および２として示されており、Ｚ電極Ｚ１およびＺ２はそれぞれパッチ電極３および４として示されており、Ｙ電極Ｙ１およびＹ２はそれぞれパッチ電極５および６として示されている。このようにして、パッチ１および２は肋骨に配置され、身体内でＸ軸を形成し、パッチ３および４は（それぞれ）腰部および上胸部に配置され、Ｚ軸を形成し、パッチ５および６は（それぞれ）上背および下腹部（胴）に配置され、Ｙ軸を形成する。３つの軸は、同様の長さであり、身体の「自然」軸（すなわち、頭部と足指、胸と背、および側面と側面）と整合されていない。
【０１５６】
基準のパッチ電極５８は、腰部／臀部に配置することができる。加えてまたは代替として、基準カテーテルは、身体血管内の同様の位置に配置することができる。
【０１５７】
上述したように、パッチ対は、差動的に動作することができ、すなわち、対内のどちらのパッチ５６も基準電極として動作せず、２つの間の電気的な場を発生させるためにシステム１００によって共に駆動されている。代替としてまたは加えて、パッチ電極５６の１つ以上は、基準電極５８として働くことができ、それらはシングルエンドモードで動作するようになっている。任意の対のパッチ電極５６の１つは、シングルエンドパッチ対を形成するそのパッチ対のために基準電極５８として働くことができる。１つ以上のパッチ対は、独立してシングルエンドであるように構成することができる。パッチ対の１つ以上は、シングルエンドの基準としてパッチを共有することができ、または電気的に接続された１つのパッチ対よりも多くの基準パッチを有することができる。
【０１５８】
心臓情報の操作卓２０によって実行される処理を通じて、軸は、電極５６の配置に基づく第１の向き、例えば非生理学的な向きから第２の向きへ変換、例えば回転することができる。第２の向きは標準的な左・後・上（ＬＰＳ：Ｌｅｆｔ−Ｐｏｓｔｅｒｉｏｒ−Ｓｕｐｅｒｉｏｒ）の解剖学的向きを含むことができ、すなわち「ｘ」軸は患者の右から左へ向けられ、「ｙ」軸は患者の前から後ろへ向けられ、「ｚ」軸は患者の尾から頭へ向けられる。パッチ電極５６の配置およびそれによって定められた非標準的な軸は、パッチ電極の配置と比較するときに空間分解能の改善をもたらすように選択することができ、その結果、例えば、非標準的な向きの電極５６間の好ましい組織の特徴により、結果として得られた軸の通常の生理学的な向きになる。例えば、非標準的な電極の配置によって、位置特定の場での肺の低インピーダンスの体積の影響が減少することになり得る。さらに、電極の配置は、同様または同等の長さの経路に沿って患者の身体を貫通する軸を作り出すように選択することができる。同様の長さの軸は、体内の単位距離あたりより多くの同様のエネルギー密度を有し、そのような軸に沿ってより均一な空間分解能をもたらす。非標準的な軸を標準的な向きに変換することによって、より分かりやすい表示装置の環境をユーザに提供することができる。所望の回転が実現されると、各軸は、必要に応じて、拡大縮小、すなわちより長くまたはより短くされ得る。回転および拡大縮小は、所定の、例えば予期されたまたは知られている電極アレイ１２の形状および相対的な寸法をパッチ電極によって確立された座標系内の電極アレイの形状および相対的な寸法に対応する測定値と比較することに基づいて実行される。例えば、回転および拡大縮小は、比較的不正確な表示、例えば、未較正の表示をより正確な表示に変換するように実行することができる。電極アレイ１２の表示の整形および拡大縮小によって、もっとより正確な位置特定のために、軸の向きおよび相対的なサイズを調整、整合、および／または他の方法で改善することができる。
【０１５９】
基準電極５８は、患者の基準としてパッチ電極および／または電気的な基準カテーテルとすることができるまたは含むことができる。パッチ電極５８は、皮膚に配置することができるとともに、除細動のための電流のためのリターンとして働く。電気的な基準カテーテルは、コモンモード除去を向上させるために使用される単極の基準電極を備えることができる。基準カテーテル上の単極の基準電極または他の電極は、生理学的、機械的、電気的、または計算的な心臓の信号中のアーティファクトを測定し、追跡し、補正し、または較正するために使用することができる。いくつかの実施形態では、これらのアーティファクトは、呼吸、心臓の動き、フィルタなどの信号処理の適用によって引き起こされるアーティファクトによるものであり得る。電気的な基準カテーテルの別の形態は、内部のアナログの基準電極であり得、これは全ての内部のカテーテル電極についての低雑音の「アナログの接地」として働くことができる。これらのタイプの各基準電極は、（カテーテルのとき）内部の血管における腰部の近くおよび／または（パッチのとき）腰部の上などの比較的同様の位置に配置することができる。いくつかの実施形態では、システム１００は、固定機構（例えば、ユーザにより作動させられる固定機構）を含む基準カテーテル５８を備え、この固定機構は、基準カテーテル５８の１つ以上の電極の変位（例えば、偶発的またはその他の意図しない動き）を減少させるように構成および配置することができる。固定機構は、螺旋拡張器、球状の拡張器、周方向の拡張器、軸方向に作動する拡張器、回転可能に作動する拡張器、およびこれらの２つ以上の組み合わせからなる群から選択される機構を備えることができる。
【０１６０】
次に、図４を参照すると、本発明概念の各態様による心臓情報の処理システム４００の一実施形態のブロック図が与えられる。図４のシステム４００は、図４においてカテーテルが電極１２ａと共にバスケット電極アレイ１２のスプラインにここでは位置する超音波変換器１２ｂを備えることを除いて、図１のシステム１００のものと同様である。この実施形態では、（例えば、位置特定のための）単一の電極１２ａは、（例えば、解剖学的表示のための）超音波変換器１２ｂと対を成している。一実施形態では、電極アレイ１２上にそのような対が４８個存在する。他の実施形態では、システムは、ＡＵＸカテーテルおよび／またはアレイ上に電極だけを有するカテーテルなどを用いて、変換器と対を成していない電極の位置を特定することもできる。カテーテル１０は、図１に示されるように、心臓情報の操作卓２０にやはり接続する。
【０１６１】
複数「対」の電気的な構成要素に関して、例えば、少なくとも１つの対は、電極１２ａと、超音波変換器１２ｂとを備える。各電極１２ａは、心臓の表面または心腔ＨＣ内の位置に存在する電圧などの電圧（または生体電位）を記録するように構成することができる。各超音波変換器１２ｂは、心臓または他の患者の解剖学的位置の少なくとも一部の組織の解剖学的画像を生成等するために、超音波信号を送信および／または受信するように構成することができる。そのような情報が経時的に複数の対１２ａ、１２ｂについて蓄積されるとき、心臓の解剖学的画像とともに心臓活性化の重ね合わされたマッピングが、ＵＳサブシステム２７を介して表示装置のために生成され得る。
【０１６２】
この実施形態では、心臓情報の操作卓２０は、図１を参照して上述された同じ生体電位信号の経路３０および位置特定信号の経路４０を備えるとともに、ＤＦＩＢ保護モジュール２２およびＡＤＣ２４を備える。ＢＩＯ信号の処理モジュール３４またはＬＯＣ信号の処理モジュール４４は、心臓情報の操作卓２０内ならびにＵＩサブシステム２７内にやはり含まれる。ＢＩＯプロセッサ３６およびＬＯＣプロセッサ４４を含む電源ＰＷＲおよびプロセッサ２６を備えることもできる。
【０１６３】
図１とは異なり、ＵＳ切り離しＭＵＸ６１、ＵＳ変圧器６２、およびＵＳ発生および検出のモジュール６３を備えた超音波（ＵＳ）信号の経路６０が与えられている。ＵＳ切り離しＭＵＸ６１は、ＤＦＩＢ保護モジュール２２に接続されているとともに、所定の順序またはパターン等でＵＳ変換器１２ｂをオンオフするために使用される。ＵＳ切り離しＭＵＸ６１は、開放時に、ＵＳシステムおよび残りのＵＳ信号の経路の要素を切り離し、ＬＯＣの経路およびＢＩＯの経路の入力から（変換器およびＵＳ信号の経路６０を通じて）インピーダンスと接地の結合を解除する一組の高い入力インピーダンスのスイッチとすることができる。ＵＳ切り離しＭＵＸ６１は、１つの送受信回路をカテーテル１０上の１つ以上の複数の変換器１２ｂに多重化もする。ＵＳ変圧器６２は、ＵＳ切り離しＭＵＸ６１とＵＳ発生および検出のモジュール６３の間で両方向に動作する。ＵＳ変圧器６２は、ＵＳ変換器１２ｂによる超音波の送受信中にモジュール６３内のＵＳ送受信回路によって生成された電流から患者を切り離す。ＵＳ変圧器６２のスイッチは、変換器１２ｂの動作モードに基づいて、所定の順序またはパターン等で関連した変換器１２ｂのうちの１つ以上を作動させるように、モジュール６３の送信および／または受信の電子回路を選択的に係合する。すなわち、送信モードでは、モジュール６３は、ＵＳ信号の生成を作動させ送信増幅器の出力をＵＳ変圧器６２に接続する（データプロセッサ２６内の）ＵＳプロセッサから制御信号を受信する。ＵＳ変圧器６２は、ＵＳ変換器１２ｂを選択的に作動させるＵＳ切り離しＭＵＸ６１に信号を結合する。受信モードでは、ＵＳ切り離しＭＵＸ６１は、変換器１２ｂのうちの１つ以上から反射信号を受信し、これはＵＳ変圧器６２へ送られる。ＵＳ変圧器６２は、ＵＳ発生および検出のモジュール６３の受信の電子回路に信号を結合し、これは次にユーザインターフェースシステム２７および表示装置２７ａによる処理および使用のために反射データ信号をＵＳプロセッサへ送信する。
【０１６４】
この実施形態では、ＡＤＣおよび信号処理は、ＢＩＯ、ＬＯＣ、および超音波のために心臓情報の操作卓２０内に全て収容されている。ＡＤＣへの出力は、電極ごとの一連の個々の生体電位の電圧点である。以下に説明されるように、これらは、フィルタ処理されており、ＣＭＲＲは、独立して扱われるチャンネルごとにチャンネル毎ベースで改善および正規される。ＡＤＣへの出力は、各パッチ電極の軸ごとの一連の位置特定の電圧点でもある。そして、ＡＤＣ２４への出力は、超音波について単一時間で測定された一群の（本実施形態では）４８個の反射距離でもある。
【０１６５】
アルゴリズムの計算は、心臓情報の操作卓２０においてなされるものであり、４８個または８０個のチャンネルを一度に処理し、信号間の伝搬の遅延を測定し、ｘ、ｙ、ｚのデータを電極の位置の空間分布に変え、一群の位置を計算しこの位置の補正を適用し、および／または個々の距離を点群に変え、この点群を操作することを含む。
【０１６６】
図５は、本発明概念の各態様による位置特定信号の処理を実行するように協働する機能要素の一実施形態のブロック図である。ＩＱ復調器５０２は、ＡＤＣ２４から出力を受信し、受信した信号の大きさおよび位相を解析する。この実施形態では、ＩＱ復調を用いることによって、最大の雑音除去をもたらす。狭帯域フィルタ５０４は、干渉を最小にし、時間フィルタ５０６は、任意の期間からの信号の選択的フィルタリングを可能にすることによって超音波パルスとの相互変調を防ぐ。例として、時間フィルタ５０６は、信号、例えばマッピングの信号、位置特定の信号、および／または超音波撮像の信号をブランキングおよびインターリービングするために使用することができる。
【０１６７】
データプロセッサ５０８は、位置特定信号の処理に使用されるグローバルデータセットに適用される計算アルゴリズムを実行するように構成することができる。
【０１６８】
図６は、本発明概念の各態様による、図５の手法の別の実施としての、位置特定信号の処理を実行するように協働する機能要素の一実施形態のブロック図である。
【０１６９】
図６の実施形態は、ＡＤＣ２４と時間フィルタ５０６の間に形成された並列構成における複数の周波数の同時復調を示す。この実施形態は、位置特定について最高のスループットをもたらすとともに、雑音を低減するためにオーバーサンプリングを可能にする。ＡＤＣ２４から来るチャンネルごとにＩＱ復調器５０２ａ、５０２ｂ、５０２ｃが存在する。図示されるように、ＩおよびＱの構成要素についての独立したＩＩＲフィルタリングが存在する。この手法は、可能である最高の信号完全性を与え、最も狭い帯域通過を可能にし、最も短いリアルタイム遅延となる。時間フィルタ５０６は、超音波パルスとの相互変調を防ぐ。
【０１７０】
この手法は、総同期処理のチェーンをもたらし、簡単な時間／状態依存性のフィルタを可能にする。
【０１７１】
図７は、本発明概念の各態様による、図５の手法の別の実施としての、位置特定信号の処理を実行するように協働する機能要素の一実施形態のブロック図である。
【０１７２】
図７の実施形態は、ＩおよびＱごとの専用ＩＩＲフィルタが存在しないことを除いて、図６の実施形態と同様である。代わりに、ＩＱ復調器からマルチチャンネルＩＩＲフィルタ５０４へのスイッチを用いたＩＱ構成要素の時間多重化が存在する。マルチチャンネルＩＩＲフィルタ５０４は、全てのＩおよびＱに対応するように十分な個数のチャンネルを備える。他の実施形態では、ＩＩＲフィルタ５０４の個数は、１よりも大きくすることができるとともに、ＩおよびＱの個数よりも少なくすることができる。
【０１７３】
この手法は、追加の時間遅延なしで計算資源を減少させる。
【０１７４】
図８は、本発明概念の各態様による位置特定方法の一実施形態である。図８の方法８００は、本明細書中に説明された様々なシステムによって実施することができる。
【０１７５】
ステップ８０２において、処理されたＩおよびＱデータが、信号処理のモジュールから受信される。ステップ８０４において、ＩＱデータは、電圧データに変換される。いくつかの実施形態では、電圧データは異常信号および／または外れ値データについてフィルタ処理され、このデータは、さらなる計算から除外することができる。ステップ８０６において、４８個の電極アレイ１２などの電極アレイの知られているまたは測定された形状に基づき得る軸補正因子が、決定され適用される。位置特定電極、例えば基準電極５６の対ごとに１つの軸が存在する。例えば、バスケットの形状が正しくない場合、１つ以上の軸は、バスケットが適切な形状をとるまで回転、拡大縮小、および／またはスキュー修正することができ、これは、ＵＩサブシステム２７の表示装置上で見ることができ、およびユーザインターフェースモジュール２７の操作可能なユーザ機構であり得る。ステップ８０８において、拡大縮小行列は、電極アレイの知られているまたは測定された形状にやはり基づいて決定され、電圧値に適用される。ここで、アレイの長さまたはサイズが正しくない場合、電極アレイの知られているまたは決定された比率に基づいて、軸のうちの１つ以上は、適切なサイズが実現されるまで拡大縮小（より長くまたはより短く）され得る。
【０１７６】
ステップ８１０において、電極アレイ（例えば、電極アレイ１２）における電極の位置の値は、決定可能であり、ステップ８０６および８０８に基づいて補正される電圧値を有する。ステップ８１２において、適合アルゴリズムは、計算された電極位置を知られているバスケット構成へ適合させるように実行され得る。さらに、ステップ８１４において、さらなる適合および回転が計算された電極位置に適用されてもよく、電極アレイ上の電極位置が更新され得る。この適合ステップは、第１の適合ステップよりも正確であり、したがってより良い位置特定の精度をもたらす。ステップ８１６において、次のデータセットが読み込まれ、この方法は、さらなる処理のためにステップ８０４に戻る。
【０１７７】
図９は、本発明概念の各態様によるアブレーションシステムおよびアブレーションカテーテルの一実施形態の概略図である。アブレーションカテーテル５１２に結合されたアブレーションシステム５１０が存在する。アブレーション先端５１４は、アブレーションカテーテル５１２の遠位端に位置する。アブレーション先端５１４は、アブレーションエネルギー、例えばＲＦアブレーションエネルギーを組織へ送り届ける。
【０１７８】
この実施形態では、「電力の経路」の変更はなく、例えば、電力の経路のフィルタリングはなく、したがってインピーダンスがチェーンに加えられず、アブレーションの電力はフィルタにおいて浪費されない。非アブレーション電極、例えば位置特定システムの一部として使用される電極に接続されたフィルタ５２０が存在する。高い入力インピーダンスが、位置特定システムのために維持され、位置特定システムは、アブレーションエネルギーを送り届ける最中に位置特定を可能にする。さらに、この実施形態では、アブレーションシステム５１０と接地パッチ５１６の間の戻り経路におけるフィルタの代替構成におけるよりも少ないアブレーション雑音またはアーティファクトが、ＢＩＯおよび／またはＬＯＣ信号に結合される。
【０１７９】
図１０は、本発明概念の各態様による超音波の高い入力インピーダンスのＭＵＸ６１を含む超音波回路の一実施形態の概略図である。超音波の高い入力インピーダンスのスイッチは、超音波切り離しスイッチ１０１０（図示の単一のスイッチ）を含む。超音波切り離しスイッチ１０１０は、上述の除細動（ＤＦＩＢ）保護のモジュール２２の前面に接続するとともに、別個のＤＦＩＢ保護回路１０２０を有し、ＤＦＩＢ保護回路１０２０は、位置特定、マッピング、および補助カテーテル（例えば、アブレーションカテーテル）が接続されるポートに接続する（例えば、図１のコネクタ２０ａ参照）。
【０１８０】
この手法は、ＢＩＯ信号およびＬＯＣ信号から超音波を切り離すことをもたらす。この手法は、最小静電容量の実施であり、高電圧バイアスは静電容量を減少させ、対称スイッチは電荷注入を最小にする。高電圧は、スイッチが「オン」状態に到達するための時間も短くし、生体電位および位置特定信号についての歪みの時間を最小にする。一実施形態では、オプトＦＥＴは、ＤＦＩＢ保護回路１０２０から制御電子回路を切り離す。
【０１８１】
上記のものは最良の形態および／または他の好ましい実施形態であるとみなされるものを記載したが、そこに様々な変形がなされてもよく、１つのまたは複数の本発明は様々な形態および実施形態において実施することができ、それらは多数の応用に適用することができ、それらのうちのほんの一部が本明細書中に記載されていることが理解される。各請求項の範囲内に含まれる全ての変形および変更を含む文字通り記載されているものおよびその全ての均等物の権利を主張することが、添付の特許請求の範囲によって意図されている。
【図１】
2018516114.tif 000003
【図２】
2018516114.tif 000004
【図３】
2018516114.tif 000005
【図４】
2018516114.tif 000006
【図５】
2018516114.tif 000007
【図６】
2018516114.tif 000008
【図７】
2018516114.tif 000009
【図８】
2018516114.tif 000010
【図９】
2018516114.tif 000011
【図１０】
2018516114.tif 000012
【国際調査報告】
2018516114.tif 000013
2018516114.tif 000014